(57)【特許請求の範囲】
【請求項１】
分散アンテナシステム用のコントローラであって、前記分散アンテナシステムは、複数のアンテナユニットを備え、各アンテナユニットは、第１のネットワークを定義する第１の周波数帯と第２のネットワークを定義する第２の周波数帯とで動作可能であり、
前記コントローラは、プロセッサを備え、
前記プロセッサは、ジオロケーショントラフィック仕様を受信するように構成されており、前記ジオロケーショントラフィック仕様は、前記分散アンテナシステムを使用するデバイスの位置の表示と前記デバイスのトラフィック要件とを備え、
前記プロセッサは、前記受信されたジオロケーショントラフィック仕様に基づいて、前記第１のネットワーク上で動作させるために前記複数のアンテナユニットのうちの１つのアンテナユニットまたは前記複数のアンテナユニットのうちの複数のアンテナユニットを含むグループを選択するように構成されており、前記アンテナユニットまたはアンテナユニットのグループは、前記デバイスの前記位置での前記第１のネットワークに関する前記デバイスの前記トラフィック要件を満足させるように選択される、
コントローラ。
【請求項２】
前記ジオロケーショントラフィック仕様は、前記分散アンテナシステムを使用する第２のデバイスの位置の表示と前記第２のデバイスのトラフィック要件とをさらに備え、
前記プロセッサは、前記受信されたジオロケーショントラフィック仕様に基づいて、前記第２のネットワーク上で動作させるために、前記複数のアンテナユニットのうちの第２のアンテナユニットまたは前記複数のアンテナユニットのうちの複数のアンテナユニットを含む第２のグループを選択するように構成されており、前記第２のアンテナユニットまたはアンテナユニットの第２のグループは、前記第２のデバイスの前記位置での前記第２のネットワークに関する前記第２のデバイスの前記トラフィック要件を満足させるように選択される、請求項１に記載のコントローラ。
【請求項３】
前記第１のネットワークは、ワイヤレスローカルエリアネットワークであり、前記第２のネットワークは、セルラーネットワークである、請求項１又は２に記載のコントローラ。
【請求項４】
前記ジオロケーショントラフィック仕様は、ヒストリックジオロケーショントラフィック仕様と短期ジオロケーショントラフィック仕様とのうちの少なくとも１つを備える、請求項１乃至３のいずれか１項に記載のコントローラ。
【請求項５】
前記ジオロケーショントラフィック仕様は、前記分散アンテナシステムを使用する前記デバイスの非アクセス層アタッチ要求から導出される、請求項１乃至４のいずれか１項に記載のコントローラ。
【請求項６】
前記ジオロケーショントラフィック仕様は、前記分散アンテナシステムを使用する前記デバイスのＡＤＤＴＳ．ｒｅｑｕｅｓｔデータおよび／またはＡＤＤＴＳ．ｒｅｓｐｏｎｓｅデータから導出される、請求項１乃至４のいずれか１項に記載のコントローラ。
【請求項７】
前記プロセッサは、タイムスロットを周期的に繰り返すように構成され、前記タイムスロットは、前記プロセッサが前記ジオロケーショントラフィック仕様を受信するように構成された第１のサブスロットと、前記プロセッサが前記第１のネットワーク上で動作させるために前記アンテナユニットまたはアンテナユニットのグループを選択するように構成された第２のサブスロットとを備える、請求項１乃至６のいずれか１項に記載のコントローラ。
【請求項８】
前記タイムスロットは、第３のサブスロットをさらに備え、前記プロセッサは、前記分散アンテナシステムを使用する前記デバイスが前記第３のサブスロット中にデータを送信および／または受信することを許可するように構成されている、請求項７に記載のコントローラ。
【請求項９】
前記プロセッサは、前記分散アンテナシステムを使用する前記デバイスのトラフィックフローレートに依存して前記第３のサブスロットの長さをセットするように構成されている、請求項８に記載のコントローラ。
【請求項１０】
分散アンテナシステムを管理するための方法であって、前記分散アンテナシステムは、複数のアンテナユニットを備え、各アンテナユニットは、第１のネットワークを定義する第１の周波数帯と第２のネットワークを定義する第２の周波数帯とで切り替え可能に動作可能であり、
前記方法は、
前記分散アンテナシステムを使用するデバイスの位置の表示と前記デバイスのトラフィック要件とを備えるジオロケーショントラフィック仕様を受信することと、
前記受信されたジオロケーショントラフィック仕様に基づいて、前記第１のネットワーク上で動作させるために、前記デバイスの前記位置での前記第１のネットワークに関する前記デバイスの前記トラフィック要件を満足させるように選択された、前記複数のアンテナユニットのうちの１つのアンテナユニットまたは前記複数のアンテナユニットのうちの複数のアンテナユニットを含むグループを選択することと、
を備える、方法。
【請求項１１】
前記ジオロケーショントラフィック仕様は、前記分散アンテナシステムを使用する第２のデバイスの位置の表示と前記第２のデバイスのトラフィック要件とをさらに備え、前記方法は、
前記受信されたジオロケーショントラフィック仕様に基づいて、前記第２のネットワーク上で動作させるために、前記第２のデバイスの前記位置での前記第２のネットワークに関する前記第２のデバイスの前記トラフィック要件を満足させるように選択された、前記複数のアンテナユニットのうちの第２のアンテナユニットまたは前記複数のアンテナユニットのうちの複数のアンテナユニットを含む第２のグループを選択することと、
をさらに備える、請求項１０に記載の方法。
【請求項１２】
前記ジオロケーショントラフィック仕様は、ヒストリックジオロケーショントラフィック仕様と短期ジオロケーショントラフィック仕様とのうちの少なくとも１つを備える、請求項１０又は１１に記載の方法。
【請求項１３】
前記方法は、タイムスロットを周期的に繰り返すことを備え、前記タイムスロットは、プロセッサが前記ジオロケーショントラフィック仕様を受信するように構成される第１のサブスロットと、前記プロセッサが前記第１のネットワーク上で動作させるために前記アンテナユニットまたはアンテナユニットのグループを選択するように構成される第２のサブスロットとを備える、請求項１０乃至１２のいずれか１項に記載の方法。
【請求項１４】
前記タイムスロットは、前記分散アンテナシステムを使用する前記デバイスが前記分散アンテナシステムを介してデータを送信し、および／または受信する第３のサブスロットをさらに備える、請求項１３に記載の方法。
【請求項１５】
第１のネットワークを定義する第１の周波数帯と第２のネットワークを定義する第２の周波数帯とのカバレージを提供するための分散アンテナシステムであって、前記分散アンテナシステムは、
前記第１のネットワーク上及び前記第２のネットワーク上で各々が動作可能な複数のアンテナユニットと、
前記アンテナユニットに動作可能に接続されたコントローラと、を備え、前記コントローラは、プロセッサを備え、
前記プロセッサは、
ジオロケーショントラフィック仕様を受信するように構成されており、前記ジオロケーショントラフィック仕様は、前記分散アンテナシステムを使用するデバイスの位置の表示と前記デバイスのトラフィック要件とを備え、
前記プロセッサは、
前記受信されたトラフィック仕様に基づいて、前記第１のネットワーク上で動作させるために前記複数のアンテナユニットのうちの１つのアンテナユニットまたは前記複数のアンテナユニットのうちの複数のアンテナユニットのグループを選択するように構成されており、前記アンテナユニットまたはアンテナユニットのグループは、前記デバイスの前記位置での前記第１のネットワークに関する前記デバイスの前記トラフィック要件を満足させるように選択される、
分散アンテナシステム。
【請求項１６】
前記アンテナユニットのうちの少なくとも１つに前記コントローラを接続するハブをさらに備える、請求項１５に記載の分散アンテナシステム。
【請求項１７】
前記コントローラに動作可能に接続されたデータベースをさらに備え、前記データベースは、ヒストリックジオロケーショントラフィックデータを記憶する、請求項１５又は１６に記載の分散アンテナシステム。
【請求項１８】
プロセッサ上で実行されたときに、前記プロセッサに請求項１０乃至１４のいずれか１項に記載の方法を実行させるコンピュータ実行可能命令を担持する、コンピュータ可読キャリアメディア。
【発明の詳細な説明】
【技術分野】
【０００１】
本明細書で説明される実施形態は、全般的に分散アンテナシステムを管理することに関する。
【背景技術】
【０００２】
スマートフォンおよびコンピューティングデバイスの増加する使用は、ネットワーク要件がますます異種（heterogeneous）になること、すなわち、異なるタイプのセルが、同一エリア内で共存する異なるネットワーク上で動作し、互いにオーバーラップすることをまねいている。ハイブリッド異種の一般的な例は、セルラーネットワーク（ＬＴＥ（登録商標）ネットワークなど）とワイヤレスローカルエリアネットワーク（すなわち、Ｗｉｆｉ）のオーバーラップである。あるネットワーク上の増加したトラフィック負荷に応答して、Ｗｉｆｉオフローディングを有するセルラー通信（モバイルセルラートラフィック（ＬＴＥなど）が部分的にＷｉｆｉにオフロードされる）が、トラフィック負荷を管理するツールとしてますます普及してきている。
【０００３】
分散アンテナシステム（ＤＡＳ：distributed antenna system）は、しばしば共通のソースに接続される地理的エリアまたは構造内に配置された一連の離隔されたアンテナである。分散アンテナシステムは、ある地理的エリアにネットワークカバレージを提供し、オフィスまたはショッピングセンター内に頻繁に設置される。典型的なＤＡＳは、本明細書では「ネットワーク」と呼ばれる単一の周波数帯上で、たとえばＬＴＥネットワーク上で動作する。そのような配置は、単一のネットワークオペレータによって提供される単一のネットワークのカバレージを提供することに専用である。
【０００４】
消費者トラフィック負荷は、増加し続ける。Ｗｉｆｉオフローディングおよび他の関連技術が、より頻繁に使用されるようになる可能性が高い。これは、ネットワークシステムが、ますます異種になり、分散アンテナシステムが、単一より多数のネットワークをサポートする必要が生じることを意味する。現在の分散アンテナシステムは、別々の専用アンテナを使用して２つのネットワーク（たとえば、Ｗｉｆｉおよびセルラーネットワーク）のカバレージを提供することができるが、これは、非効率的になる可能性があり、アンテナ使用およびトラフィック負荷ハンドリングが、そのような配置が許すものより効果的に最適化されるシステムを提供することが望ましいことがわかった。
【発明の概要】
【０００５】
【図面の簡単な説明】
【０００６】
【図１Ａ】従来技術の実施形態による単一ネットワークＤＡＳを概略的に示す図。
【図１Ｂ】従来技術の実施形態によるマルチネットワークＤＡＳを概略的に示す図。
【図２Ａ】ＬＴＥセルラーネットワークを提供する従来技術の実施形態によるＤＡＳを概略的に示す図。
【図２Ｂ】２つのＬＴＥセルラーネットワークを提供する従来技術の実施形態によるＤＡＳを概略的に示す図。
【図２Ｃ】Ｗｉｆｉネットワークを提供する従来技術の実施形態によるＤＡＳを概略的に示す図。
【図２Ｄ】２つのＷｉｆｉネットワークを提供する従来技術の実施形態によるＤＡＳを概略的に示す図。
【図３】３つの異なるタイムスロットでＷｉｆｉとＬＴＥネットワークとを提供する実施形態によるＤＡＳを概略的に示す図。
【図４】第１のタイムスロットと第２のタイムスロットとでマルチプルなネットワークを提供する実施形態によるＤＡＳを概略的に示す図。
【図５】５つの異なる構成でマルチプルなネットワークを提供する実施形態によるＤＡＳを概略的に示す図。
【図６】一実施形態での使用のためのタイムスロットを示すフロー図。
【図７】一実施形態によるコントローラを概略的に示す図。
【図８】一実施形態による方法を示すフロー図。
【図９】一実施形態によるタイムスロットの実装形態を概略的に示す図。
【図１０】一実施形態の方法による実装形態を概略的に示す図。
【図１１】一実施形態の方法によるトラフィック要求メッセージの例を示す図。
【発明を実施するための形態】
【０００７】
一実施形態によれば、分散アンテナシステム（ＤＡＳ）用のコントローラであって、該ＤＡＳは、複数のアンテナユニットを備え、ここにおいて、各アンテナユニットは、第１のネットワークを定義する第１の周波数帯で動作可能であり、
ここにおいて、コントローラは、プロセッサを備え、
プロセッサは、
ジオロケーショントラフィック仕様（geo-location traffic specification）を受信する、
ここにおいて、ジオロケーショントラフィック仕様は、ＤＡＳを使用するデバイスの位置の表示（indication）とデバイスのトラフィック要件とを備える、
ように構成され、
プロセッサは、
受信されたジオロケーショントラフィック仕様に基づいて、第１のネットワーク上で動作させるためにアンテナユニットまたはアンテナユニットのグループを選択する、ここにおいて、
アンテナユニットまたはアンテナユニットのグループは、デバイスの位置での第１のネットワークに関するデバイスのトラフィック要件を満足させるように選択される、
ようにさらに構成される、
ＤＡＳ用のコントローラである。
【０００８】
アンテナユニットは、第２のネットワークを定義する第２の周波数帯でさらに動作可能であり得る。
【０００９】
各アンテナユニットは、第２のネットワークを定義する第２の周波数帯でさらに動作可能であり得る。
【００１０】
いくつかの実施形態では、ＤＡＳは、複数のアンテナユニットを備えることができ、ここにおいて、少なくとも１つのアンテナユニットは、第１のネットワークを定義する第１の周波数帯で動作可能であり、少なくとも１つのアンテナユニットは、第２のネットワークを定義する第２の周波数帯で動作可能である。第１のネットワーク上で動作可能なアンテナユニットまたは複数のアンテナユニットは、第２のネットワーク上で動作可能なアンテナユニットまたは複数のアンテナユニットと同一ではないものであり得る。
【００１１】
ジオロケーショントラフィック仕様は、マルチプルなデバイスの位置の表示とマルチプルなデバイスのトラフィック要件とを備えることができる。
【００１２】
プロセッサは、その代わりに、ＤＡＳを使用するデバイスのジオロケーショントラフィックデータを受信し、獲得されたトラフィックデータに基づいて、第１のネットワーク上で動作させるためにアンテナユニットまたはアンテナユニットのグループを選択するように構成され得る。
【００１３】
アンテナユニットまたはアンテナユニットのグループは、デバイスの第１のネットワークのカバレージを提供するために選択され得る。
【００１４】
代替的には、アンテナユニットまたはアンテナユニットのグループは、デバイスのネットワークカバレージを最適化するために選択され得る。
【００１５】
単一のネットワーク（たとえば、Ｗｉｆｉネットワークまたは４Ｇ  ＬＴＥセルラーネットワーク）は、一般に、固定された周波数帯内で動作する。したがって、用語「周波数帯」および「ネットワーク」は、文脈からそのような理解が明らかに不適切である場合を除いて、本開示では主として交換可能であると考えられるべきである。
【００１６】
分散アンテナシステムは、１つのまたはマルチプルなネットワークのカバレージを提供するために、特定の位置にわたって分散された複数のアンテナユニットを備えることができる。そのようなカバレージは、デバイスが特定のネットワークを介して送信し、受信することを可能にし、たとえば、ラップトップなどの無線局（ＳＴＡ）が、ローカルワイヤレスネットワーク（「Ｗｉｆｉ」）に接続することができ、あるいは、携帯電話機などのユーザ機器（ＵＥ）が、「４Ｇ  ＬＴＥ」などのセルラーネットワークに接続することができる。
【００１７】
一実施形態では、カバレージは、ＤＡＳを使用するデバイスの、ネットワークを介してデータを送信する能力、ネットワークを介してデータを受信する能力、またはネットワークを介してデータを送信し、受信する能力を指す。カバレージは、第１のネットワーク、第２のネットワーク、および／または後続のネットワークに効果的に接続し、これを介して送信／受信する能力を指す場合がある。用語「送信する」が、本開示で使用される時に、文脈から明らかに不適切でない限り、「受信する」をも包含することができることを理解されたい。ネットワークを介して送信する能力は、要求されるネットワークカバレージに言及する時に、ネットワークを介して受信する能力に類似すると考えられる。
【００１８】
任意の数のデバイスが、ＤＡＳを使用することができる。この数は、時間と共に変動する可能性がある。ＤＡＳを使用するデバイスは、ＤＡＳを使用して既に送信しているデバイス、ならびに、ＤＡＳのカバレージエリア内にあり、ＤＡＳの使用を開始しているまたは試みているデバイスを備えることができる。
【００１９】
一実施形態による分散アンテナシステムは、屋内位置または屋外位置に設置され得る。そのような位置は、ショッピングセンター、オフィス、公園、または他の都心部などの人口集中地域であり得る。
【００２０】
一実施形態によれば、コントローラは、ＤＡＳを使用する１つのまたはマルチプルなデバイスのトラフィックを動的に管理するように構成される。コントローラは、ＤＡＳにおけるアンテナ動作を管理するように構成され得る。
【００２１】
一実施形態によるコントローラは、分散アンテナシステムを監視し、制御することができる基地局などのデバイスの一部とされまたはそのデバイス内に設置され得る。単一の基地局が、ＤＡＳを監視し、制御することができ、あるいは、一連のネットワーク接続された基地局が、ＤＡＳを監視し、制御することができる。一連のネットワーク接続された基地局内の各基地局は、ＤＡＳのすべてのアンテナユニットのサブセットを構成する複数のアンテナユニットに関連付けられ得る。
【００２２】
一実施形態によれば、１つのアンテナユニットまたは各アンテナユニットは、単一のネットワーク上で動作可能であり得る。
【００２３】
さらなる実施形態によれば、１つのアンテナユニットまたは各アンテナユニットは、２つのネットワーク上すなわち第１のネットワーク上と第２のネットワーク上とで動作可能であり得る。アンテナユニットは、一時に単一のネットワーク上でのみ動作できるものであり得る。したがって、１つの（または各）アンテナユニットは、一時に２つの異なるワイヤレスネットワークのうちの１つのカバレージを提供し、これらのネットワークの間で切り替えることが可能であり得る。一実施形態では、各アンテナユニットは、特定の時間において単一のネットワーク上で動作可能であるのみであるが、他の実施形態では、アンテナユニットは、同時にマルチプルなネットワーク上で動作可能であり得る。
【００２４】
いくつかの実施形態では、アンテナユニットは、複数のアンテナを提供することによって、同時に複数のネットワーク上で動作することができる。動作するユニット内のアンテナは、デバイス内干渉を管理するために離隔され得る。
【００２５】
いくつかの実施形態では、各アンテナユニットは、３つ以上のネットワーク、たとえば、３つ、４つ、または５つのネットワーク上で動作可能であり得る。
【００２６】
プロセッサは、ジオロケーショントラフィック仕様を獲得しまたは受信するように構成される。ジオロケーショントラフィック仕様は、第１のネットワーク（すなわち、単一のネットワーク）のジオロケーショントラフィック仕様情報を備えることができる。ジオロケーショントラフィック仕様は、第２のネットワークおよび／または後続のネットワークのジオロケーショントラフィック仕様情報をさらに備えることができる。ジオロケーショントラフィック仕様は、複数のネットワークのトラフィック仕様を備えることができる。
【００２７】
ジオロケーショントラフィック仕様は、ＤＡＳを使用するデバイスに関する情報を備えることができる。この情報は、ネットワーク、帯域幅、および要求されるＱｏＳ優先順位など、ＤＡＳに対するデバイスのトラフィック需要の測定値または「トラフィック要件（traffic requirement）」を提供することができる。この情報は、トラフィック需要の地理的位置の表示（indication）を提供することもできる。ジオロケーショントラフィック仕様は、ＤＡＳを使用するデバイスの位置の表示と、そのデバイスのトラフィック要件を備えることができる。ジオロケーショントラフィック仕様は、ＤＡＳを使用する複数のデバイスの位置の表示と、これらのデバイスのそれぞれのトラフィック要件とを備えることができる。位置は、特定のアンテナユニットの伝送距離であるものとして決定され得る。この情報は、ジオロケーショントラフィックデータに組み込まれまたはこれから導出され得る。
【００２８】
ジオロケーショントラフィック仕様は、ＤＡＳを使用する１つまたは複数のデバイスの位置の表示を備えることができ、この表示は、アンテナユニットから発することができる。ジオロケーショントラフィック仕様は、１つまたは複数のデバイスのトラフィック要件を備えることができ、これは、ＤＡＳを使用する１つまたは複数のデバイスから発することができる。
【００２９】
ジオロケーショントラフィック仕様は、ＤＡＳを使用するデバイスのジオロケーショントラフィックデータを備えまたはこれから導出され得る。ジオロケーショントラフィック仕様は、ジオロケーショントラフィックデータの合計（summation）であり得る。ジオロケーショントラフィック仕様は、ジオロケーショントラフィックデータの集合（collection）であり得る。
【００３０】
プロセッサは、各アンテナユニットおよび／またはデータベースからジオロケーショントラフィック仕様を受信するように構成され得る。代替的には、プロセッサは、複数のアンテナユニットおよび／またはデータベースからジオロケーショントラフィックデータを組み込んだ単一のジオロケーショントラフィック仕様を受信するように構成され得る。
【００３１】
ジオロケーショントラフィックデータは、ロケーションアウェア（location-aware）トラフィックデータと呼ばれる場合もあり、それに関連する起点（origin）の地理的エリアを有するかまたは特定の地理的エリアまで追跡され得る、デバイストラフィックまたはデバイストラフィックに関する情報によって組み込まれ得る。ジオロケーショントラフィックデータは、デバイスの位置とトラフィック要件とに関する情報であり得る。ジオロケーショントラフィックデータは、ＱｏＳベースのトラフィック優先順位付け情報を備えることができる。ジオロケーショントラフィックデータは、ＤＡＳ内の特定の領域または位置に関するＤＡＳを使用するデバイスのネットワークトラフィック需要を推定するのに使用され得る。ジオロケーショントラフィックデータは、ＤＡＳを使用するデバイスからのシグナリングパラメータを備えることができる。
【００３２】
異なるネットワークは、ジオロケーショントラフィックデータに関して異なるプロトコルを指定する可能性があるが、一般に、トラフィックデータは、以下の情報、すなわち、ネットワークの表示および要求される帯域幅と、デバイスの地理的位置の表示（これは、使用されるアンテナユニットの表示によって示され得る）と、任意のＱｏＳ仕様の表示のいずれかまたはすべてを備えることができる。このジオロケーショントラフィックデータは、その後、ジオロケーショントラフィック仕様を提供するのに使用され得る。
【００３３】
ネットワーク上で動作するデバイスによって使用されるプロトコル、コマンド、およびアルゴリズムは、一般に、公に入手可能な標準規格によって規定される。そのような標準規格の例が、ワイヤレスＬＡＮの媒体アクセス制御層と物理層との仕様に関する、ＩＥＥＥ標準規格８０２．１１−２０１２、特にパート１１である。
【００３４】
位置とトラフィック情報とを獲得するためのいくつもの方法が存在する。たとえば、ＤＡＳを使用するワイヤレスデバイスの位置の表示は、サービングセルの識別がデバイスの位置に関する推定値を提供するセルＩＤ法と、デバイスのＧＰＳユニットが位置を入手するのに使用される補助ＧＰＳと、既知の点の間の三角測量とを介して入手され得る。
【００３５】
上で議論されたセルＩＤ法に関する一例が、一実施形態で使用される。ＤＡＳ内では、各デバイスは、１つまたは複数の異なるアンテナユニットに関連付けられ得る。デバイスがＤＡＳ内で動きまわるとき、それらは、それぞれのネットワークの標準規格によって規定されるプロトコルを使用して関連付けを変化させる。そのようなプロトコルは、デバイスとアンテナユニットとの間の相互作用を必要とする場合があり、この情報は、受信アンテナに関連付けられることによるデバイスの位置の推定値と、任意のＱｏＳ仕様を含むそのトラフィックに関する情報とを提供する。アンテナユニットは、関連付けられたデバイスに関するこのジオロケーショントラフィックデータを記憶することができる。このデータは、本明細書で説明される実施形態に従ってコントローラ／プロセッサに送られ得るジオロケーショントラフィック仕様を作り出すのに使用され得る。
【００３６】
ジオロケーショントラフィック仕様は、アンテナによって複数のデバイスから受信されたジオロケーショントラフィックデータの累積（accumulation）であり得る。ジオロケーショントラフィック仕様は、アンテナの場所（locality）での複数のネットワークの総要件（total requirements）を指定することができる。ジオロケーショントラフィック仕様は、収集されたジオロケーションデータの形または収集されたジオロケーショントラフィックデータから抽出されたデータの形であり得る。
【００３７】
プロセッサは、アンテナおよび／またはデータベースからジオロケーショントラフィック仕様（またはジオロケーショントラフィックデータ）を受信するように構成され得る。
【００３８】
プロセッサは、受信されたジオロケーショントラフィック仕様に基づいて、第１の（または後続の）ネットワーク上で動作させるために第１の（または後続の）アンテナユニットまたはアンテナユニットの第１の（または後続の）グループを選択するようにさらに構成され得、アンテナユニットまたはアンテナユニットのグループは、それぞれのデバイスの位置での、それぞれ第１の（または後続の）ネットワークに関するジオロケーショントラフィック仕様内で表されたデバイスのトラフィック要件を満足させるように選択される。
【００３９】
したがって、複数のアンテナユニットまたはアンテナユニットのグループが、単一のまたは複数のデバイスの、それらのそれぞれの位置でのトラフィック要件を満足させるために、それぞれ単一のまたは複数のネットワーク上で動作するように選択され得る。この目的は、ジオロケーショントラフィック仕様の使用を介して達成される。
【００４０】
一実施形態によるプロセッサは、受信されたトラフィック仕様に基づいて、第１の（または後続の）ネットワーク上で動作させるためにアンテナユニットまたはアンテナユニットのグループ（あるいは後続のアンテナユニットまたはアンテナユニットのグループ）を選択するように構成され得、アンテナユニットまたはアンテナユニットのグループは、ＤＡＳを使用する１つのまたはすべてのデバイスに第１の（または後続の）ネットワークのカバレージを提供するために選択される。カバレージは、デバイスがＤＡＳを使用して第１のネットワーク上で送信し、および／または受信することを可能にする。
【００４１】
一実施形態によるプロセッサは、受信されたトラフィック仕様に基づいて、第１の（または後続の）ネットワーク上で動作させるためにアンテナユニットまたはアンテナユニットのグループ（あるいは後続のアンテナユニットまたはアンテナユニットのグループ）を選択するようにさらに構成され得、アンテナユニットまたはアンテナユニットのグループは、ジオロケーショントラフィック仕様の第１の（または後続の）ネットワーク要件を充足するように選択される。
【００４２】
それぞれのネットワーク要件の充足または満足は、これらのネットワークに関するトラフィック要件を満足させるためにそれぞれのネットワークの十分なカバレージを提供することであり得る。したがって、デバイスがＤＡＳを使用してネットワークを介して送信および／または受信することを可能にすることである。それぞれのネットワーク要件の充足または満足は、代替的に、デバイストラフィックのあるパーセンテージがＤＡＳを使用して送信および／または受信され得るように、十分なカバレージを提供することであり得る。
【００４３】
アンテナ選択（第１のおよび／または第２のネットワーク上で働くアンテナユニットの構成）は、ジオロケーショントラフィック仕様に基づいて決定され得る。ジオロケーショントラフィック仕様は、デバイスがどこに配置されるか、およびそれらが使用しているまたは使用を要求しているのがどのネットワークであるのかの推定値を決定するのに使用され得る。アンテナ選択は、ネットワークを使用するすべてのデバイス（または、ジオロケーショントラフィックデータが受信されたネットワークを使用するすべてのデバイス）が、それらの位置でそれらが選択したネットワークを介してデータを送信し、および／または受信できるように、行われ得る。
【００４４】
プロセッサは、第１の（または後続の）ネットワーク上で動作させるためにアンテナユニットまたはアンテナユニットのグループ（あるいは後続のアンテナユニットまたはアンテナユニットのグループ）を選択するように構成され得、アンテナユニットまたはアンテナユニットのグループは、ＤＡＳを使用するデバイスのカバレージを最適化するために選択される。
【００４５】
プロセッサは、第１のネットワーク上で動作させるためにアンテナユニットまたはアンテナユニットのグループを選択するように構成され得る。選択されるアンテナユニットまたはアンテナユニットのグループは、第１のネットワークのカバレージが（ＤＡＳを使用するデバイスが第１のネットワークを使用して送信し、および／または受信することを可能にするために）最適化されるように選択され得る。選択されるアンテナユニットまたはアンテナユニットのグループは、第２のネットワークのカバレージが最適化されるように選択され得る。最適化されたカバレージは、ＤＡＳを使用するデバイスが、最適化されていないカバレージと比較された時によりたやすく、よりすばやく、またはより簡単に第１のネットワーク（および任意の後続のネットワーク）を介してデータを送信し、および／または受信することを可能にすることができる。最適化されたカバレージは、現在の需要に対して過剰なアンテナユニットを非アクティブ化することによって、冗長性を除去し、過剰な電力消費を最小化することもできる。何が最適化されたカバレージを構成するかの尺度（Measures of what constitutes optimised coverage）は、ネットワーク標準規格、ネットワークオペレータ、ＤＡＳオペレータ、またはＤＡＳ製造業者によって決定され得る。
【００４６】
プロセッサは、代替的に、第１の（および／または後続の）ネットワーク上で動作させるためにアンテナユニットまたはアンテナユニットのグループ（あるいは後続のアンテナユニットまたはアンテナユニットのグループ）を選択するように構成され得、アンテナユニットまたはアンテナユニットのグループは、ＤＡＳを使用するデバイスのカバレージを改善しまたは変更するために選択される。
【００４７】
アンテナユニットまたはアンテナユニットのグループは、代替的に、以前の時間ｔ1と比較して時間ｔ2にＤＡＳを使用するデバイスのネットワークカバレージを改善するためにそれぞれのネットワーク上で動作させるために選択され得る。
【００４８】
プロセッサは、トラフィック推定値を導出するためにジオロケーショントラフィック仕様またはジオロケーショントラフィックデータを使用するように構成され得、トラフィック推定値は、デバイスの位置の推定値とトラフィックタイプ（または、ＱｏＳ仕様を含むネットワーク要件）とである。
【００４９】
プロセッサは、推定されたトラフィックタイプが送信されおよび／または受信され得るか、デバイスのネットワーク要件が満足され得るように、トラフィック推定値に基づいて、第１のネットワーク上で動作させるためにアンテナユニットまたはアンテナユニットのグループを選択するように構成され得る。第２の（または後続の）アンテナユニットまたはアンテナユニットのグループは、推定されたトラフィックタイプが送信されおよび／または受信され得るか、デバイスのネットワーク要件が満足され得るように、トラフィック推定値に基づいて第２の（または後続の）ネットワーク上で動作させるために選択され得る。さらなるアンテナユニットまたはアンテナユニットのグループは、それらの位置でトラフィック要件がないことに起因して、トラフィック推定値に基づいてアイドルモードに入るために選択され得る。
【００５０】
アンテナ選択は、短期（short-term）ジオロケーショントラフィック仕様に基づいて行われ得、これは、現在のデバイス位置とネットワーク要件とＱｏＳ要件との推定値を入手することを可能にする。
【００５１】
アンテナ選択は、代替的に、ヒストリック（historic）ジオロケーショントラフィック仕様（以下を参照されたい）を使用して行われ得、これがまた、デバイス位置とネットワーク要件とＱｏＳ要件との推定を可能にし得る。推定は、ある特定のパターンまたは相関がヒストリックジオロケーショントラフィック仕様と現在のジオロケーショントラフィック仕様との間に存在すると仮定することによって、ヒストリカルジオロケーショントラフィック仕様に基づくものとされ得、あるいはヒストリカルジオロケーショントラフィック仕様から導出され得る。
【００５２】
アンテナ選択の結果は、従来のＤＡＳではすべてのアンテナユニットが常に単一のネットワーク上で動作しているが、一実施形態では、特定のアンテナユニットだけが一時に動作しているものであり得る。いくつかの実施形態では、これらのアンテナユニットは、複数のネットワークのうちの１つを提供することができる。代替実施形態では、すべてのアンテナユニットが、常に動作していることができるが、異なるネットワーク上で動作し、そしてジオロケーショントラフィック仕様に基づいて経時的にネットワークを変更することができる。アクティブアンテナユニットの配置およびそれらがその上で動作しているネットワークは、ジオロケーショントラフィック仕様の変化に応答して経時的に変化し得る。
【００５３】
１つのまたは各アンテナユニットは、第２のネットワークを定義する第２の周波数帯でさらに動作可能であり得る。
【００５４】
ジオロケーショントラフィック仕様は、ＤＡＳを使用する第２のデバイスの位置の表示と第２のデバイスのトラフィック要件とをさらに備えることができ、
プロセッサは、受信されたジオロケーショントラフィック仕様に基づいて、第２のネットワーク上で動作させるために、第２のネットワーク上で動作可能な第２のアンテナユニットまたはアンテナユニットの第２のグループを選択するようにさらに構成され得る、ここにおいて、
第２のアンテナユニットまたはアンテナユニットの第２のグループは、第２のデバイスの位置での第２のネットワークに関するＤＡＳを使用する第２のデバイスのトラフィック要件を満足させるように選択される。
【００５５】
１つのまたは各アンテナユニットは、さらなるネットワークを定義するさらなる周波数帯でさらに動作可能であり得る。
【００５６】
ジオロケーショントラフィック仕様は、ＤＡＳを使用するさらなるデバイスの位置の表示とさらなるデバイスのトラフィック要件とをさらに備えることができ、
プロセッサは、受信されたジオロケーショントラフィック仕様に基づいて、さらなるネットワーク上で動作させるために、さらなるアンテナユニットまたはアンテナユニットのさらなるグループを選択するようにさらに構成され得る、ここにおいて、
さらなるアンテナユニットまたはアンテナユニットのさらなるグループは、さらなるデバイスの位置でのさらなるネットワークに関するＤＡＳを使用するさらなるデバイスのトラフィック要件を満足させるように選択され得る。したがって、アンテナの任意の数のグループが、任意の数のネットワーク上で動作する任意の数のデバイスのトラフィック要件を満足させるように選択され得る。
【００５７】
さらに、第２のまたはさらなるデバイスは、第１の（または第２の）デバイスと同一のデバイスであり得る。したがって、単一のデバイスが、複数のネットワークのトラフィック要件を有することができる。
【００５８】
プロセッサは、代替的に、獲得されたトラフィック仕様に基づいて、第２のネットワーク上で動作させるために第２のアンテナユニットまたはアンテナユニットの第２のグループを選択するように構成され得る。第２のアンテナユニットまたはアンテナユニットの第２のグループは、ジオロケーショントラフィック仕様の第２のネットワーク要件を満足させるように選択され得る。
【００５９】
いくつかの実施形態では、コントローラは、プロセッサによって、第１のワイヤレスネットワーク上で動作させるためにアンテナユニットまたはアンテナユニットのグループを割り振り、第２のワイヤレスネットワーク上で動作させるために第２のアンテナユニットまたはアンテナユニットのグループを割り振ることができる。このようにして、複数の異なるワイヤレスネットワークのカバレージが、同時に同一のＤＡＳによって提供され得る。同一のＤＡＳを介して複数の異なるネットワークを提供することは、ＤＡＳ内の異なるデバイスが異なるネットワーク上で動作すること、たとえば、携帯電話機が電話をかけるためにセルラーネットワーク（ＬＴＥネットワークなど）にアクセスし、ラップトップがインターネットにアクセスするためにＷｉｆｉを使用することを可能にする。これはまた、「Ｗｉｆｉオフローディング」または他の負荷ハンドオーバ技法も可能にし、たとえば、これによってセルラートラフィックがＷｉｆｉにオフロードされる。これは、ネットワーク容量を増大させることができる。
【００６０】
第２のアンテナユニットまたはアンテナユニットの第２のグループは、ＤＡＳを使用するデバイスに第２のネットワークの十分なカバレージを提供することによって、ジオロケーショントラフィック仕様の第２のネットワーク要件を満足させることができる。
【００６１】
一実施形態では、各アンテナユニットは、第１のネットワーク上と第２のネットワーク上と第３のネットワーク上とで動作可能とされ得、プロセッサは、第３のネットワーク上で動作させるために第３のアンテナユニットまたはアンテナユニットの第３のグループを選択するように構成され得る。３つを超えるネットワーク、たとえば４つ、５つなどがあってもよく、プロセッサは、上で議論されたものと同一の形で受信されたトラフィック仕様に基づいて各それぞれのネットワーク上で動作させるためにアンテナユニットまたはアンテナユニットのグループを選択するように構成され得る。２〜２０個のネットワークがあってもよい。
【００６２】
一実施形態では、第２のアンテナユニットまたはアンテナユニットの第２のグループおよび第１のアンテナユニットまたはアンテナユニットのグループは、相互に排他的である、すなわち、アンテナユニットは、第１のネットワーク上または第２のネットワーク上のいずれかで動作する。しかし、他の実施形態では、これらが相互に排他的ではないものとされ得、アンテナユニットは、前述したように、第１のネットワーク上と第２のネットワーク上との両方で同時に動作することができる。
【００６３】
１つのアンテナが単一より多数のネットワーク上で動作可能である実施形態でプロセッサによる選択されたアンテナ構成（または「アンテナ選択」）の実施の一部として、１つのまたは各アンテナユニットは、第１のネットワーク、第２のネットワーク、またはさらなるネットワークの間で切り替えることを要求され得る。これは、第１のネットワーク上で動作するアンテナユニットが、第２のネットワーク上で動作するように変わることを要求され得ることを意味する。
【００６４】
代替的には、以前にオフに切り替えられたかアイドルモードであるアンテナユニットが、ネットワーク上で動作することを要求され得る。
【００６５】
ネットワーク上で動作しなければならない代わりに、アンテナユニットは、オフに切り替えるかアイドルモードに入ることを要求され得る。これは、それぞれのアンテナユニットの位置でカバレージが要求されていないときに電力を節約するためであり得る。
【００６６】
インテリジェントスイッチおよびＭＵＸユニットが、一実施形態によるコントローラ内で使用され得る。これらは、アンテナユニットがＤＡＳ内で協調してまたは独立してのいずれかで働くことを可能にすることができる。
【００６７】
アンテナユニットは、たとえば、ＤＡＳ内で動作帯域幅を再構成するためのキャリアアグリゲーションなどの方法を使用することによって、動作帯域幅フレキシビリティを実現することを要求され得る。
【００６８】
アンテナユニットは、負荷とトラフィックとを効果的に管理するために、ビーコンフレームパラメータを再構成することを要求され得る。たとえば、ジオロケーショントラフィックデータが、ＮＡＳアタッチ要求またはＡＤＤＴＳシグナリングパラメータ（以下を参照されたい）などの従来の方法によって入手できない場合に、ジオロケーショントラフィック仕様が入手されまたは導出されることを可能にするために、新しいパラメータが要求され得る。これは、ビーコンフレーム内のパラメータを介してアドミッション制御判断基準またはデータ送信判断基準をセットアップすることを含み得る。
【００６９】
プロセッサは、選択されたアンテナ構成、すなわち、どのアンテナが（存在する場合に）第１のネットワーク上で動作すべきであり、どのアンテナが（存在する場合に）第２のネットワーク上で動作すべきであり、どのアンテナが（存在する場合に）アイドル状態に入るべきかを実現するために、アンテナユニットまたはアンテナユニットのグループ（あるいは第２のアンテナユニットまたはアンテナユニットのグループ）にアンテナ選択要求を送るように構成され得る。代替的には、アンテナ選択要求は、アンテナユニットがその動作を変更する必要があるかどうかにかかわりなく、ＤＡＳ内のすべてのアンテナユニットに送られ得る。
【００７０】
第１のまたは第２のネットワーク上で動作させるためにアンテナユニットまたはアンテナユニットのグループを選択した後に、プロセッサは、要求される通りに選択を実行するために、影響を受けるアンテナユニットの一部またはすべてにアンテナ選択要求を送ることができる。すなわち、関連するアンテナユニットが第１のまたは第２のネットワーク上で動作させるために選択された後に、命令が、関連するアンテナに割り振られた特定のネットワーク上で動作させるために、コントローラによって関連するアンテナに送られ得る。プロセッサは、そのようなアンテナ選択要求を送るように構成され得る。
【００７１】
アンテナユニットは、第１のおよび任意の後続のネットワーク上で動作可能な単一のアンテナだけを備えることができる。各アンテナユニットは、第１のおよび任意の後続のネットワーク上で動作可能な単一のアンテナだけを備えることができる。
【００７２】
ＤＡＳ内の各アンテナユニットは、アンテナを備えることができる。アンテナユニットは、単一のまたは複数（たとえば、２つ、４つ、６つなど）のアンテナを備えることができる。
【００７３】
アンテナユニットが単一のアンテナだけを備え、該アンテナユニットが第１のネットワーク上と第２のネットワーク上とで動作可能であるときには、アンテナは、第１のネットワーク上と第２のネットワーク上との両方で動作できるように構成される。したがって、単一のアンテナが、第１のネットワーク上での動作と第２のネットワーク上での動作との間で切り替えることが可能であり得る。
【００７４】
アンテナユニットが複数のアンテナを備え、該アンテナユニットが第１のネットワーク上と第２のネットワーク上とで動作可能であるときには、第１のアンテナは、第１のネットワーク上で動作するように構成され得、第２のアンテナは、第２のネットワーク上で動作するように構成され得る。したがって、アンテナユニットが第１のネットワーク上での動作から第２のネットワーク上での動作に切り替えるとき、第１のネットワーク上で動作するアンテナは、オフに切り替えられ（または、アイドルモードに入り）、第２のネットワーク上で動作するアンテナは、オンに切り替えられまたはアクティブ化され得る。代替的には、複数のアンテナを備えるアンテナユニット内のアンテナは、単一アンテナアンテナユニットと同様に、第１のネットワーク上と第２のネットワーク上との両方で動作できるように構成され得る。
【００７５】
アンテナユニットがアンテナユニットのグループの一部であることは、アンテナユニットがコロケートされている（collocated）またはお互いの近くにあることを暗示するものではない。アンテナユニットのグループを構成するアンテナの位置の間には何の関係もないものとすることができる。
【００７６】
同一の地理的エリア内に配置された複数のアンテナユニットは、アンテナユニットのクラスタと呼ばれる場合がある。アンテナユニットのクラスタは、単一のアンテナユニットとして振る舞うことができる、すなわち、特定のクラスタ内のすべてのアンテナユニットが、常に同一のネットワーク上で動作し、またはすべてがアイドルになることができる。これは、カバレージを最適化するために要求される制御アルゴリズムを単純化し得る。代替的には、クラスタ内のアンテナユニットは、独立であり得、同一クラスタの他のアンテナユニットとは異なるネットワーク上で動作することができる。この後者の場合、クラスタとしての複数のアンテナユニットへの言及は、単に、特定の地理的エリア内のアンテナユニットを指す。クラスタに属するアンテナユニットは、基地局またはハブへの物理接続（ケーブリングなど）を共有することができる。
【００７７】
アンテナユニットという用語は、ネットワークをワイヤレスにブロードキャストするのに使用される任意のデバイスを記述し得る。アンテナユニットは、それが本開示で説明されるように機能することを可能にするために、送信器、受信器、および他の標準的なコンポーネントを備えることができる。そのような適切なデバイスは、当業者によってたやすく導き出されることができ、したがって、本開示でさらに議論することはしない。
【００７８】
アンテナユニットを備えるデバイスの例は、Ｗｉｆｉアクセスポイント、ベーストランシーバ基地局、およびｅＮｏｄｅＢを含むことができる。
【００７９】
第１のネットワークは、ＷＬＡＮとすることができ、第２のネットワークは、セルラーネットワークとすることができる。
【００８０】
一実施形態では、第１のネットワークと、アンテナユニットが第２のネットワーク上でさらに動作可能である場合の第２のネットワークとは、異なるワイヤレスネットワークである。第１のおよび／または第２のネットワークは、ＷＬＡＮ、３Ｇ、４Ｇ  ＬＴＥ、ＧＳＭ（登録商標）、ＧＰＲＳ、ＥＤＧＥ、または当業者に明白な任意の他の適当なネットワークであり得る。第１のネットワークまたは第２のネットワークは、モバイルネットワークであり得る。上記のリストは、網羅的なものではない。
【００８１】
第１のネットワークと、アンテナユニットが第２のネットワーク上でさらに動作可能である場合の第２のネットワークとは、異なる周波数帯で動作することができる。第１のおよび／または第２のネットワークは、次の周波数帯、すなわち、１６６ＭＨｚと、３８０ＭＨｚと、４１０ＭＨｚと、４３３ＭＨｚと、４５０ＭＨｚと、４８０ＭＨｚと、７００ＭＨｚと、７１０ＭＨｚと、７５０ＭＨｚと、８００ＭＨｚと、８１０ＭＨｚと、８５０ＭＨｚと、９００ＭＨｚと、１．５ＧＨｚと、１．７ＧＨｚと、１．８ＧＨｚと、１．９ＧＨｚと、２．１ＧＨｚと、２．３ＧＨｚと、２．４ＧＨｚと、２．５ＧＨｚと、２．６ＧＨｚと、３．５ＧＨｚと、３．６ＧＨｚと、４．９ＧＨｚと、５ＧＨｚと、５．９ＧＨｚと、２８ＧＨｚと、６０ＧＨｚのうちの任意の１つまたは複数を使用することができる。上記のリストは、網羅的なものではない。ワイヤレスデバイスが、上で指定された固定された周波数ではなく、ある周波数範囲にわたって動作することを理解されたい。上記のリストで提供される公称周波数値は、周波数範囲の代表として与えられる。
【００８２】
したがって、プロセッサは、獲得されたトラフィック仕様に基づいて、第１の周波数帯で動作させるためにアンテナユニットまたはアンテナユニットのグループを選択するように構成され得る。プロセッサは、第２の（または後続の）周波数帯で動作させるために第２の（または後続の）アンテナユニットまたはアンテナユニットのグループを選択するようにさらに構成され得る。
【００８３】
ジオロケーショントラフィック仕様は、ヒストリックジオロケーショントラフィック仕様と短期ジオロケーショントラフィック仕様とのうちの少なくとも１つを備えることができる。
【００８４】
ジオロケーショントラフィック仕様は、ヒストリックジオロケーショントラフィック仕様または短期ジオロケーショントラフィック仕様のいずれかであり得る。
【００８５】
ヒストリックジオロケーショントラフィック仕様と短期ジオロケーショントラフィック仕様との両方が、１つの（またはマルチプルな）デバイスの位置の表示および１つの（またはマルチプルな）デバイスのトラフィック要件を備えることができる。
【００８６】
ジオロケーショントラフィック仕様は、ヒストリックジオロケーショントラフィック仕様を備えることができる。ヒストリックジオロケーショントラフィック仕様は、ヒストリックジオロケーショントラフィックデータを備えることができる。ヒストリックジオロケーショントラフィック仕様は、ヒストリックジオロケーショントラフィックデータから導出され得る。ヒストリックジオロケーショントラフィックデータは、過去にデバイスによって送られ、データベース上に記憶されたジオロケーショントラフィックデータであり得る。
【００８７】
ヒストリックジオロケーショントラフィック仕様は、データベース上で記憶された過去の期間からのジオロケーショントラフィック仕様であり得る。ヒストリックジオロケーショントラフィック仕様は、データベース上で記憶された過去からのジオロケーショントラフィックデータを使用することができる。ヒストリックジオロケーショントラフィック仕様は、ＤＡＳを使用するデバイスの現在位置と要件とを推定するのを助けるのに使用され得る。
【００８８】
コントローラまたはコントローラが設置される基地局は、データベースからジオロケーショントラフィック仕様を受信するための入力を備えることができる。コントローラまたはコントローラが設置される基地局は、データベースに接続され得、データベースは、ヒストリックジオロケーション要件を記憶するためのものである。
【００８９】
プロセッサは、データベースからジオロケーショントラフィック仕様を受信するように構成され得る。データベースは、「クラウド」内に記憶され得、これによって、要件が、リモートサーバおよびデータベース上で記憶され、アクセスは、オンラインで達成される。
【００９０】
代替的には、コントローラまたはリモートデータベースは、メモリユニットを備えることができ、ヒストリックジオロケーショントラフィック仕様は、メモリユニット上で記憶され得る。プロセッサは、メモリユニットからヒストリックジオロケーショントラフィック仕様を受信するように構成され得る。
【００９１】
ヒストリックジオロケーショントラフィック仕様は、たとえば、短期ジオロケーショントラフィック仕様が利用可能でないとき、またはＤＡＳもしくはコントローラが最初にスタートアップされ、開始されるときに、短期ジオロケーショントラフィック仕様の代わりに使用され得る。代替的には、ヒストリックジオロケーショントラフィック仕様は、短期ジオロケーショントラフィック仕様を補足するのに使用され得る。
【００９２】
ジオロケーショントラフィック仕様は、短期ジオロケーショントラフィック仕様を備えることができる。短期ジオロケーショントラフィック仕様は、短期ジオロケーショントラフィックデータを備えまたはこれから導出され得る。
【００９３】
短期ジオロケーショントラフィックデータは、ある時間期間の間にデータベース内に記憶されなかったジオロケーショントラフィックデータであり得る。短期ジオロケーショントラフィックデータは、デバイスによって最近に送られたジオロケーショントラフィックデータであり得る。短期ジオロケーショントラフィックデータは、アンテナユニットによって記憶され得る。短期ジオロケーショントラフィックデータは、ジオロケーショントラフィック仕様がプロセッサによって受信される時にＤＡＳを使用するデバイスのトラフィックデータであり得る。短期ジオロケーショントラフィックデータは、実質的にリアルタイムで短期ジオロケーショントラフィック仕様を提供するのに使用され得、したがって、短期ジオロケーショントラフィックデータは、リアルタイムジオロケーショントラフィックデータであり得る。これは、リアルタイムジオロケーショントラフィック仕様を提供することができる。短期ジオロケーショントラフィック仕様は、ＤＡＳを使用するデバイスの位置とトラフィック要件とをリアルタイムで表すリアルタイムジオロケーショントラフィック仕様であり得る。
【００９４】
短期ジオロケーショントラフィック仕様は、実質的にリアルタイムでデバイストラフィックを表し、実質的にリアルタイムで更新され得る。
【００９５】
短期ジオロケーショントラフィック仕様は、アンテナユニットによって記憶され、累積され、または作成され得る。短期ジオロケーショントラフィック仕様は、ジオロケーショントラフィックデータがプロセッサによって受信される時のＤＡＳを使用するデバイスの累積位置およびトラフィック要件であり得る。
【００９６】
短期ジオロケーショントラフィック仕様は、デバイスからアンテナユニットに送信された短期ジオロケーショントラフィックデータを備えまたはこれから導出され得る。アンテナユニットは、短期ジオロケーショントラフィックデータを、それを短期ジオロケーショントラフィック仕様としてコントローラに送る前に、またはそれをコントローラに送られる短期ジオロケーショントラフィック仕様を作るために使用する前に、記憶することができる。
【００９７】
プロセッサは、トラフィック仕様要求をアンテナユニットに送るように構成され得る。アンテナユニットは、このトラフィック仕様要求に応答して短期ジオロケーショントラフィック仕様をプロセッサ／コントローラに送ることができる。オプションにより、プロセッサは、トラフィック仕様が受信されたらアンテナユニットに肯定応答を送るように構成され得る。
【００９８】
コントローラは、アンテナユニットからジオロケーショントラフィック仕様を受信するための入力を備えることができる。
【００９９】
プロセッサは、アンテナユニットからジオロケーショントラフィックデータを受信するように、またはアンテナユニットから受信されたジオロケーショントラフィックデータからジオロケーショントラフィック仕様を作り出すように構成され得る。
【０１００】
短期ジオロケーショントラフィック仕様は、記憶され、将来にヒストリックジオロケーショントラフィック仕様として使用されまたはこれを作り出すために、データベースに送られ得る。
【０１０１】
ジオロケーショントラフィック仕様は、ジオロケーショントラフィックデータを備え、またはこれから導出され得る。
【０１０２】
ジオロケーショントラフィックデータは、非アクセス層（Ｎｏｎ−ａｃｃｅｓｓ  ｓｔｒａｔｕｍ）アタッチ要求とＡＤＤＴＳ．ｒｅｑｕｅｓｔおよび／またはＡＤＤＴＳ．ｒｅｓｐｏｎｓｅとを備えることができる。
【０１０３】
ジオロケーショントラフィック仕様は、ＤＡＳを使用するデバイスの非アクセス層アタッチ要求から導出され得る。
【０１０４】
ジオロケーショントラフィックデータのいくつかの実施形態（たとえば、特定のネットワークに関する）は、特定のネットワーク上で動作するアンテナユニットによってのみ受信可能である場合があり、たとえば、ＡＤＤＴＳ．ｒｅｑｕｅｓｔ／ｒｅｓｐｏｎｓｅデータは、Ｗｉｆｉネットワーク上で動作するアンテナユニットによってのみ受信され得る。上記および他の適切なシグナリングパラメータは、関連技術の技術標準規格、たとえばＡＤＤＴＳパラメータに関してＩＥＥＥ標準規格８０２．１１−２０１２で議論されている。
【０１０５】
第１のネットワーク上と第２のネットワーク上とで動作可能ないくつかの実施形態では、すべてのアンテナユニットが第１のネットワーク上で動作している場合に、第２のネットワークの短期ジオロケーショントラフィックデータまたはリアルタイムジオロケーショントラフィックデータは、アンテナユニットのうちの１つが第１のネットワークと第２のネットワークとの両方で同時に動作できる場合に限って入手可能である可能性がある。
【０１０６】
さらに、すべてのアンテナユニットが非アクティブであるか第１のネットワーク上で動作しており、アンテナユニットのどれもが第１のネットワーク上と第２のネットワーク上との両方で同時に動作可能ではない場合には、アクティブアンテナユニットのどれもが、第１のネットワーク上で動作しながら第２のネットワークについてジオロケーショントラフィックデータを受信することができないので、第２のネットワークについて短期ジオロケーショントラフィックデータを入手できない場合がある。そのようなシナリオでは、ヒストリックジオロケーショントラフィック仕様が、第２のネットワークについてのまたは第２のネットワークを含むジオロケーショントラフィック仕様を決定するのに使用され得る。
【０１０７】
ヒストリックジオロケーショントラフィック仕様は、短期ジオロケーショントラフィック仕様が（したがって短期ジオロケーショントラフィックデータが）利用可能である場合であっても、ジオロケーショントラフィック仕様を満足させることができるアンテナユニット構成を決定するのに使用され得る。これは、第２のネットワークについてのジオロケーショントラフィックデータがアンテナユニット（第１のネットワークに制限された）のいずれによっても受信できない場合であっても、第１のネットワーク上でのみ動作するアンテナユニットを有するＤＡＳが、第２のネットワークのカバレージをも提供するために適合または更新することを可能にすることができる。
【０１０８】
アンテナユニットが第２のネットワークを定義する第２の周波数帯でさらに動作可能である実施形態では、第１のネットワークおよび第２のネットワークのうちの１つは、セルラーネットワークであり得る。アンテナユニットが第２のネットワークを定義する第２の周波数帯でさらに動作可能である実施形態では、第１のネットワークおよび第２のネットワークのうちの１つは、４Ｇ  ＬＴＥネットワークであり得る。
【０１０９】
ジオロケーショントラフィック仕様データは、ＤＡＳを使用するデバイスのＡＤＤＴＳデータ、たとえばＡＤＤＴＳ．ｒｅｑｕｅｓｔデータおよび／またはＡＤＤＴＳ．ｒｅｓｐｏｎｓｅデータから導出され得る。
【０１１０】
アンテナユニットが第２のネットワークを定義する第２の周波数帯でさらに動作可能である実施形態では、第１のネットワークおよび第２のネットワークのうちの１つは、ＷＬＡＮであり得る。他のＴｒａｆｆｉｃ  Ｓｐｅｃｉｆｉｃａｔｉｏｎ（ＴＳＰＥＣ）シグナリングパラメータは、位置とトラフィック要件とを分析するために使用され得る。
【０１１１】
非アクセス層アタッチデータおよびＡＤＤＴＳデータは、ジオロケーショントラフィックデータの２つの具体例である。これらは、ＤＡＳを使用するデバイスによって送られ、アンテナユニットによって受信され得る。ジオロケーショントラフィックデータは、（データを受信するアンテナユニットに基づいて）デバイスのトラフィック（したがってＱｏＳ仕様を含むネットワーク要件）と位置とに関する情報が入手されることを可能にする。
【０１１２】
ジオロケーショントラフィックデータは、アンテナユニットの位置に特有であり得る、ジオロケーショントラフィック仕様を作り出すのに使用され得る。代替的には、単一の、ＤＡＳ全体のジオロケーショントラフィック仕様が、コントローラによって作り出され、受信され得る。ジオロケーショントラフィック仕様は、上述したように、ＤＡＳを使用するデバイスのジオロケーショントラフィックデータの累積であり得る。代替的には、ジオロケーショントラフィック仕様は、データの合計であり得る。代替的には、データが、関連のある情報を抽出するアルゴリズムを使用してジオロケーショントラフィックサマリーを作り出すのに使用され得る。
【０１１３】
ジオロケーショントラフィックデータの上記２つの例示的な実施形態は、網羅的なリストではない。ジオロケーショントラフィックデータを入手するいくつもの方法および実施例が存在する。多数の方法が、それぞれのワイヤレスネットワークタイプの技術標準規格で定義されている。
【０１１４】
ジオロケーショントラフィックデータは、ＲＩＣ−ＲｅｑｕｅｓｔパラメータとＲＩＣ−ｓｉｇｎａｌｌｉｎｇパラメータとを備えることができる。そのようなパラメータの使用は、技術標準規格、たとえばＩＥＥＥ標準規格８０２．１１−２０１２で定義され、議論されている。
【０１１５】
ヒストリックジオロケーショントラフィックデータは、ＤＡＳを使用するデバイスからのヒストリックＮＡＳ（非アクセス層）アタッチ要求ならびに／またはデータベース上に記憶されたヒストリックＡＤＤＴＳ．ｒｅｑｕｅｓｔデータおよび／もしくはヒストリックＡＤＤＴＳ．ｒｅｓｐｏｎｓｅデータを備えることができる。
【０１１６】
一実施形態は、ＱｏＳベースのトラフィック要求と互換性があり得る。したがって、ＷＬＡＮのＵｓｅｒ  ＰｒｉｏｒｉｔｙおよびＬＴＥシステムのＱｏＳ  Ｃｌａｓｓ  ＩｄｅｎｔｉｆｉｅｒなどのＱｏＳ固有分類は、考慮に入れられ、ジオロケーショントラフィック仕様内で表され得る。ＱｏＳベースの要件を満足させることは、アンテナ選択によって達成され得る。そのようなＱｏＳ分類は、本実施形態の実施形態と組み合わされまたはこれによって実行され得る特定のトラフィックに優先順位を与えるために当分野で既知の方法を使用してアンテナ選択中に処理され、考慮に入れられ得る。
【０１１７】
プロセッサは、タイムスロットを周期的に繰り返すように構成され得、ここにおいて、タイムスロットは、プロセッサがジオロケーショントラフィック仕様を受信するように構成される第１のサブスロットと、プロセッサが第１のネットワーク上で動作させるためにアンテナユニットまたはアンテナユニットのグループを選択するように構成される第２のサブスロットとを備える。
【０１１８】
一実施形態は、周期的に実行されるタイムスロットを使用して実施され得る。タイムスロットは、固定長または可変長のものであり得る。プロセッサは、タイムスロットを実行するように構成され得る。
【０１１９】
タイムスロットは、その間にジオロケーショントラフィック仕様が受信される第１のサブスロットすなわち「トラフィック獲得サブスロット」を備えることができる。ジオロケーショントラフィック仕様は、プロセッサによってアンテナから受信され得る。ジオロケーショントラフィック仕様は、すべてのアンテナから受信され得る。ジオロケーショントラフィック仕様は、コントローラによって作り出され、プロセッサによって受信され得る。プロセッサは、ジオロケーショントラフィック仕様を作り出すように構成され得る。
【０１２０】
プロセッサは、トラフィック獲得サブスロットの前またはその始めに、１つの（またはすべての）アンテナユニットにトラフィック仕様要求を送るように構成され得る。１つの（またはすべての）アンテナユニットは、このトラフィック仕様要求に応答してプロセッサ／コントローラに短期ジオロケーショントラフィック仕様を送ることができる。一実施形態では、これは、各アンテナユニットがそのＡＤＤＴＳ．ｒｅｑｕｅｓｔ／ＡＤＤＴＳ．ｒｅｓｐｏｎｓｅおよび／またはＮＡＳアタッチ要求をコントローラに送ることを備えることができる。
【０１２１】
プロセッサは、トラフィック獲得サブスロットの前またはその始めに、トラフィック仕様要求をデータベースに送るように構成され得る。データベースはこのトラフィック仕様要求に応答してヒストリックジオロケーショントラフィック仕様をプロセッサ／コントローラに送ることができる。
【０１２２】
プロセッサは、トラフィック獲得サブスロットの前またはその始めに、データベースと１つの（またはすべての）アンテナユニットとの両方にトラフィック仕様要求を送るように構成され得る。プロセッサは、まず、ヒストリックジオロケーショントラフィック仕様をデータベースから獲得することを試み、その後、短期ジオロケーショントラフィック仕様をアンテナユニットから獲得することを試みるように構成され得る。この試みは、トラフィック仕様要求を送るという形であり得る。
【０１２３】
プロセッサは、トラフィック仕様が受信されたことを確認するために、アンテナユニットおよび／またはデータベースに肯定応答を送るように構成され得る。プロセッサは、トラフィック獲得サブスロット中または後続のアンテナ選択サブスロット中に、そのような肯定応答を送るように構成され得る。
【０１２４】
タイムスロットは、その間にプロセッサが第１のおよび／またはさらなるネットワーク上で動作させるためにアンテナユニットまたはアンテナユニットのグループを選択するように構成され得る第２のサブスロットすなわち「アンテナ選択サブスロット」をさらに備えることができる。
【０１２５】
プロセッサは、アンテナ選択サブスロット中に特定のアンテナ選択を決定し、実施するように構成され得る。このサブスロット中に、１つのまたはマルチプルなアンテナユニットまたはアンテナユニットのグループが、受信されたジオロケーショントラフィック仕様に基づいて、第１のまたは任意の後続のネットワーク上で動作させるために選択され得る。アンテナ選択は、ＤＡＳを使用する１つまたはすべてのデバイスのトラフィック要件が、デバイスのそれぞれの位置ですべてのネットワークに関して満足されるようなものであり得る。
【０１２６】
これは、トラフィック推定値を作り出すことと、それぞれのネットワークのカバレージが提供されるように第１のまたは任意の後続のネットワーク上で動作させるためにアンテナユニットまたはアンテナユニットのグループを選択することとによって行われ得る。したがって、推定されたトラフィックタイプが、送信され得、ジオロケーショントラフィック仕様が、充足され得る。
【０１２７】
プロセッサは、アンテナ選択サブスロット中に、第１のおよび／または第２のネットワーク上で動作しているアンテナを変更するように構成され得る。
【０１２８】
プロセッサは、アンテナ選択サブスロット中にアンテナ選択を実施するためにアンテナユニットにアンテナ選択要求をさらに送ることができる。アンテナ選択要求は、すべてのアンテナユニットに、その動作を変更することが要求されるアンテナユニットに、または特定のアンテナユニットのみに、送られ得る。
【０１２９】
ジオロケーショントラフィック仕様が、トラフィック獲得サブスロット中に受信されずまたは獲得されない場合には、プロセッサは、第１の（および／または第２の）ネットワーク上で動作させるためにアンテナユニットまたはアンテナユニットのグループをランダムに選択するように構成され得る。代替的には、ジオロケーショントラフィック仕様が、トラフィック獲得サブスロット中に受信されずまたは獲得されない場合に、プロセッサは、第１の（および／または第２の）ネットワーク上で動作するように変更するためにアンテナユニットまたはアンテナユニットのグループを選択しないように構成され得る。したがって、以前のアンテナユニット構成が維持され得る。
【０１３０】
任意の必要なアクションがアンテナユニットによって完了された後に、肯定応答が、アンテナ選択要求を受信したアンテナユニットからプロセッサに送られ得る。
【０１３１】
タイムスロットは、第３のサブスロットをさらに備えることができ、ここにおいて、プロセッサは、ＤＡＳを使用するデバイスが第３のサブスロット中にデータを送信する（および／または受信する）ことを許可するように構成される。
【０１３２】
タイムスロットは、その間にデータが第１のおよび／または第２のおよび／またはさらなるネットワーク上で送信される（および／または受信される）第３のサブスロットすなわち「データ送信サブスロット」をさらに備えることができる。
【０１３３】
データ送信サブスロット中には、ＤＡＳを使用するデバイスは、ネットワークを介して送信し、および／または受信することができる。
【０１３４】
たとえばＬＴＥセルラーネットワークまたはＷｉｆｉネットワークでは、タイムスロットをタイムスロットまたはフレーム構造とアライメントさせる（たとえば、Ｗｉｆｉのスーパーフレームのタイムスロットとアライメントさせる）必要がない。
【０１３５】
プロセッサは、ＤＡＳを使用するデバイスのトラフィックフローレートに応じて、第３のサブスロットの長さをセットするように構成され得る。
【０１３６】
タイムスロットの長さは、トラフィックフローレートの変化に起因して再構成され得る。データ送信サブスロットの長さは、トラフィックフローレートの変化に起因して再構成され得る。
【０１３７】
再構成は、効率を最大化するために、シグナリングオーバーヘッドとデータ送信との間のトレードオフを最適化することができる。
【０１３８】
各サブスロットの持続時間は、事前に決定され得るが、トラフィックフローレートの計算に基づいて再構成され得る。
【０１３９】
プロセッサは、データ送信サブスロットを終了する前に、すべてのデバイスが送信および／または受信を終了したかどうかをチェックするように構成され得る。プロセッサは、データ送信サブスロットが完了した後に、トラフィック獲得サブスロットを開始するように構成され得る。
【０１４０】
さらなる実施形態によれば、分散アンテナシステム（ＤＡＳ）を管理するための方法であって、該ＤＡＳは、複数のアンテナユニットを備え、ここにおいて、各アンテナユニットは、第１のネットワークを定義する第１の周波数帯で動作可能であり、
該方法は、
ジオロケーショントラフィック仕様を受信すること、
ここにおいて、ジオロケーショントラフィック仕様は、ＤＡＳを使用するデバイスの位置の表示とデバイスのトラフィック要件とを備える、
を備え、
該方法は、
受信されたジオロケーショントラフィック仕様に基づいて、第１のネットワーク上で動作させるためにアンテナユニットまたはアンテナユニットのグループを選択すること、ここにおいて、
アンテナユニットまたはアンテナユニットのグループは、デバイスの位置での第１のネットワークに関するデバイスのトラフィック要件を満足させるように選択される、
をさらに備える、
ＤＡＳを管理するための方法である。
【０１４１】
１つのまたは各アンテナユニットは、第２のネットワークを定義する第２の周波数帯でさらに動作可能であり得る。
【０１４２】
代替的には、この方法は、ＤＡＳを使用するデバイスのジオロケーショントラフィックデータを受信することと、獲得されたトラフィックデータに基づいて第１のネットワーク上で動作させるためにアンテナユニットまたはアンテナユニットのグループを選択することとを備えることができる。アンテナユニットまたはアンテナユニットのグループは、デバイスに第１のネットワークのカバレージを提供するために選択され得る。
【０１４３】
代替的には、アンテナユニットまたはアンテナユニットのグループは、デバイスのネットワークカバレージを最適化するために選択され得る。
【０１４４】
さらに、ジオロケーショントラフィック仕様は、ＤＡＳを使用する第２のデバイスの位置の表示と第２のデバイスのトラフィック要件とを備えることができ、方法は、
受信されたジオロケーショントラフィック仕様に基づいて、第２のネットワーク上で動作させるために、第２のネットワーク上で動作可能な第２のアンテナユニットまたはアンテナユニットの第２のグループを選択すること、ここにおいて、アンテナユニットまたはアンテナユニットのグループは、第２のデバイスの位置での第２のネットワークに関するＤＡＳを使用する第２のデバイスのトラフィック要件を満足させるように選択される、
をさらに備えることができる。
【０１４５】
ジオロケーショントラフィック仕様は、ＤＡＳを使用するさらなるデバイスの位置の表示とさらなるデバイスのトラフィック要件とをさらに備えることができ、
方法は、受信されたジオロケーショントラフィック仕様に基づいて、第２のネットワーク上で動作させるためにさらなるアンテナユニットまたはアンテナユニットのさらなるグループを選択することをさらに備えることができ、ここにおいて、
さらなるアンテナユニットまたはアンテナユニットのさらなるグループは、さらなるデバイスの位置での第２のネットワークに関するＤＡＳを使用するさらなるデバイスのトラフィック要件を満足させるように選択される。したがって、アンテナの任意の数のグループが、任意の数のネットワーク上で動作する任意の数のデバイスのトラフィック要件を満足させるように選択され得る。
【０１４６】
代替的には、この方法は、受信されたジオロケーショントラフィック仕様に基づいて、第２のネットワーク上で動作させるために、第２のアンテナユニットまたはアンテナユニットの第２のグループを選択すること、ここにおいて、第２のアンテナユニットまたはアンテナユニットの第２のグループは、ジオロケーショントラフィック仕様の第２のネットワーク要件を満足させるように選択される、をさらに含むことができる。
【０１４７】
代替的には、この方法は、獲得されたトラフィックデータに基づいて、第２のネットワーク上で動作させるために、第２のアンテナユニットまたはアンテナユニットの第２のグループを選択することをさらに含むことができる。第２のアンテナユニットまたはアンテナユニットの第２のグループは、ＤＡＳを使用するデバイスに第２のネットワークのカバレージを提供するために選択され得る。
【０１４８】
アンテナユニットは、第１のおよび第２のネットワーク上で動作可能な単一のアンテナだけを備えることができる。各アンテナユニットは、第１のおよび第２のネットワーク上で動作可能な単一のアンテナだけを備えることができる。
【０１４９】
ジオロケーショントラフィック仕様は、ヒストリックジオロケーショントラフィック仕様を備えることができる。
【０１５０】
ジオロケーショントラフィック仕様は、短期ジオロケーショントラフィック仕様を備えることができる。
【０１５１】
第１のネットワークおよび第２のネットワークのうちの１つは、セルラーネットワーク、たとえば４Ｇ  ＬＴＥ  ネットワークであり得る。第１のネットワークおよび第２のネットワークのうちの１つは、モバイルネットワークであり得る。
【０１５２】
ジオロケーショントラフィック仕様は、ＤＡＳを使用するデバイスの非アクセス層アタッチ要求を備え、またはこれから導出され得る。
【０１５３】
第１のネットワークおよび第２のネットワークのうちの１つは、ＷＬＡＮであり得る。
【０１５４】
ジオロケーショントラフィック仕様は、ＤＡＳを使用するデバイスのＡＤＤＴＳ．ｒｅｑｕｅｓｔデータおよび／またはＡＤＤＴＳ．ｒｅｓｐｏｎｓｅデータを備え、またはこれから導出され得る。
【０１５５】
他のＴｒａｆｆｉｃ  Ｓｐｅｃｉｆｉｃａｔｉｏｎ（ＴＳＰＥＣ）のステータスおよび統計は、位置とトラフィック要件とを分析するために使用され得る。
【０１５６】
他のＱｏＳベースのトラフィック仕様シグナリングパラメータは、ジオロケーショントラフィックデータを入手するのに使用され得る。
【０１５７】
この方法は、タイムスロットを周期的に繰り返すことをさらに備えることができ、ここにおいて、タイムスロットは、プロセッサがジオロケーショントラフィック仕様を受信するように構成される第１のサブスロットと、プロセッサが第１のネットワーク上で動作させるためにアンテナユニットまたはアンテナユニットのグループを選択するように構成される第２のサブスロットとを備える。
【０１５８】
タイムスロットは、ＤＡＳを使用するデバイスがＤＡＳを介してデータを送信し、および／または受信する第３のサブスロットをさらに備えることができる。
【０１５９】
第３のサブスロットの長さは、ＤＡＳを使用するデバイスのトラフィックフローレートに依存して可変であり得る。第３のサブスロットの長さは、ＤＡＳを使用するデバイスのトラフィックフローレートに依存するものであり得る。
【０１６０】
一実施形態によるコントローラに関する上記の議論は、必要な変更を加えて、一実施形態による方法に適用される。プロセッサの構成に関する特徴、および、特にプロセッサが実行するように構成された動作は、必要な変更を加えて、一実施形態による方法に適用される。一実施形態によるプロセッサが実行するように構成される方法は、一実施形態によるものであり得る。
【０１６１】
さらなる実施形態によれば、第１のネットワークを定義する第１の周波数帯のカバレージを提供するための分散アンテナシステム（ＤＡＳ）であって、該ＤＡＳは、
第１のネットワーク上で各々が動作可能な複数のアンテナユニットと、
アンテナユニットに動作可能に接続されたコントローラと、を備え、コントローラは、プロセッサを備え、
ここにおいて、プロセッサは、
ジオロケーショントラフィック仕様を受信する、
ここにおいて、ジオロケーショントラフィック仕様は、ＤＡＳを使用するデバイスの位置の表示とデバイスのトラフィック要件とを備える、
ように構成され、
プロセッサは、
獲得されたトラフィック仕様に基づいて、第１のネットワーク上で動作させるためにアンテナユニットまたはアンテナユニットのグループを選択する、
ここにおいて、アンテナユニットまたはアンテナユニットのグループは、デバイスの位置での第１のネットワークに関するデバイスのトラフィック要件を満足させるように選択される、
ようにさらに構成される、
分散アンテナシステム（ＤＡＳ）である。
【０１６２】
ＤＡＳは、さらに、第２のネットワークのカバレージを提供するためのものであり得る。
【０１６３】
各アンテナユニットは、第２のネットワークを定義する第２の周波数帯でさらに動作可能であり得る。
【０１６４】
さらなる実施形態によれば、第１のネットワークを定義する第１の周波数帯と、第２のネットワークを定義する第２の周波数帯のカバレージを提供するための分散アンテナシステム（ＤＡＳ）であって、該ＤＡＳは、
第１のネットワーク上と第２のネットワーク上とで各々が動作可能な複数のアンテナユニットと、
アンテナユニットに動作可能に接続されたコントローラと、を備え、コントローラは、プロセッサを備え、
ここにおいて、プロセッサは、
ジオロケーショントラフィック仕様を受信する、
ここにおいて、ジオロケーショントラフィック仕様は、ＤＡＳを使用するデバイスの位置の表示とデバイスのトラフィック要件とを備える、
ように構成され、
プロセッサは、
獲得されたトラフィック仕様に基づいて、第１のネットワーク上で動作させるためにアンテナユニットまたはアンテナユニットのグループを選択する、
ここにおいて、アンテナユニットまたはアンテナユニットのグループは、デバイスの位置での第１のネットワークに関するデバイスのトラフィック要件を満足させるように選択される、
ようにさらに構成される、
分散アンテナシステム（ＤＡＳ）である。
【０１６５】
ジオロケーショントラフィック仕様は、ＤＡＳを使用する第２のデバイスの位置の表示と第２のデバイスのトラフィック要件とをさらに備え、
プロセッサは、受信されたジオロケーショントラフィック仕様に基づいて、第２のネットワーク上で動作させるために第２のアンテナユニットまたはアンテナユニットの第２のグループを選択するようにさらに構成され得、ここにおいて、
第２のアンテナユニットまたはアンテナユニットの第２のグループは、第２のデバイスの位置での第２のネットワークに関するＤＡＳを使用する第２のデバイスのトラフィック要件を満足させるように選択される。
【０１６６】
ＤＡＳは、さらに、さらなるネットワークのカバレージを提供するためのものであり得る。
【０１６７】
各アンテナユニットは、さらなるネットワークを定義するさらなる周波数帯でさらに動作可能であり得る。
【０１６８】
ジオロケーショントラフィック仕様は、ＤＡＳを使用するさらなるデバイスの位置の表示とさらなるデバイスのトラフィック要件とをさらに備えることができ、
プロセッサは、受信されたジオロケーショントラフィック仕様に基づいて、さらなるネットワーク上で動作させるためにさらなるアンテナユニットまたはアンテナユニットのさらなるグループを選択するようにさらに構成され得、ここにおいて、
さらなるアンテナユニットまたはアンテナユニットのさらなるグループは、さらなるデバイスの位置でのさらなるネットワークに関するＤＡＳを使用するさらなるデバイスのトラフィック要件を満足させるように選択される。したがって、アンテナの任意の数のグループが、任意の数のネットワーク上で動作する任意の数のデバイスのトラフィック要件を満足させるように選択され得る。
【０１６９】
代替的には、プロセッサは、ＤＡＳを使用するデバイスのジオロケーショントラフィックデータを受信し、獲得されたトラフィックデータに基づいて、第１のネットワーク上で動作させるためにアンテナユニットまたはアンテナユニットのグループを選択するように構成され得る。アンテナユニットまたはアンテナユニットのグループは、デバイスに第１のネットワークのカバレージを提供するために選択され得る。
【０１７０】
代替的には、アンテナユニットまたはアンテナユニットのグループは、デバイスのネットワークカバレージを最適化するために選択され得る。
【０１７１】
アンテナユニットは、第１のネットワーク上と第２のまたはさらなるネットワーク上とで動作可能な単一のアンテナだけを備えることができる。各アンテナユニットは、第１のネットワーク上と第２のまたはさらなる（および任意の後続の）のネットワーク上とで動作可能な単一のアンテナだけを備えることができる。
【０１７２】
ＤＡＳ内に設けられるコントローラは、上で議論された実施形態によるコントローラであり得る。
【０１７３】
ＤＡＳは、
アンテナユニットのうちの少なくとも１つにコントローラを接続するハブ、および／または
コントローラに動作可能に接続されたデータベース、データベースは、ヒストリックジオロケーショントラフィック仕様を記憶する、
をさらに備えることができる。
【０１７４】
分散アンテナシステム（ＤＡＳ）は、分散アンテナ装置であり得る。
【０１７５】
ＤＡＳは、アンテナユニットのうちの少なくとも１つにコントローラを接続するハブを備えることができる。
【０１７６】
ＤＡＳは、基地局に動作可能に接続されたデータベースを備えることができ、該データベースは、ヒストリックジオロケーショントラフィック仕様を記憶する。
【０１７７】
一実施形態によるコントローラまたは方法に関する特徴の議論は、必要な変更を加えて、一実施形態によるＤＡＳに適用される。
【０１７８】
さらなる実施形態によれば、コンピュータ実行可能命令を担持するコンピュータ可読キャリアメディアであって、該命令は、プロセッサ上で実行されたときに、プロセッサに一実施形態による方法を実行させる、コンピュータ可読キャリアメディアである。
【０１７９】
ここで図面に移ると、図１Ａおよび図１Ｂは、既知の分散アンテナシステムを概略的に示す。そのようなＤＡＳは、オフィスまたはショッピングセンター内に設置され得る。図示のＤＡＳでは、中央制御マスタユニット（ＭＵ）が、通常は光ケーブル１２によって、ハブユニット（ＨＵ）を介してアンテナユニット１０に接続される。各アンテナユニット１０またはアンテナユニット１０のグループは、無線リモートユニット（ＲＵ）としてモデル化され得る。ＲＵは、図１Ａに示されているように単一のネットワーク上でまたは図１Ｂに示されているようにマルチプルなネットワーク上で動作することができる。図１Ｂのようにマルチプルなネットワーク上で動作するときには、各ＲＵは、２つのアンテナを備え、各アンテナは、単一のネットワークに専用である。これは、図１Ｂに示されているように、マルチプルな実質的にコロケートされたネットワーク（multiple substantially collocated networks）を作る。これらのＲＵの動作は、経時的に変化しない。
【０１８０】
図２Ａおよび図２Ｂは、従来技術によるさらなる分散アンテナシステムを示す。図２Ａでは、複数のアンテナまたはアンテナユニット１０が、特定の地理的エリアをカバーするアンテナユニットクラスタ１４内に配置される。アンテナ１０のすべてが、ハブ１６に接続される。図２Ａのアンテナ１０のすべてが、オペレータ１によって提供される２．１ＧＨｚのＬＴＥネットワーク（セルラーネットワークの例として使用されている）上で動作している。異なるＤＡＳを示す図２Ｂでは、アンテナ１０の同様の配置が示されている。しかし、図２Ｂでは、アンテナのうちの５つ１０ａが、オペレータ１によって提供される２．１ＧＨｚのＬＴＥネットワーク上で動作しており、４つのアンテナ１０ｂが、オペレータ２によって提供される２．５ＧＨｚのＬＴＥネットワーク上で動作している。アンテナ１０構成は、事前に定義され、各アンテナは、２つのネットワークのうちの１つのみの上で動作することの専用である。したがって、ネットワークカバレージは、経時的にまたはトラフィック負荷に応答して変化しない。これは、ＤＡＳが非効率的になることにつながる可能性がある。
【０１８１】
図２Ｃおよび図２Ｄは、図２Ａおよび図２Ｂに示されたものに類似する分散アンテナシステムを示す。図２Ｃでは、アンテナ１０は、オペレータ１によって提供されるＷｉｆｉ上で動作しているが、異なるＤＡＳを示す図２Ｄでは、アンテナのうちの４つが、オペレータ１によって提供されるＷｉｆｉ上で動作しており、アンテナのうちの５つが、オペレータ２によって提供されるＷｉｆｉ上で動作している。図２Ｂに関するものと同様の制約が、図２ＤのＤＡＳにあてはまり、各アンテナ１０は、１つのネットワーク上でのみ動作するように事前に構成される。
【０１８２】
図３は、本開示の実施形態によるＤＡＳを示す。ＤＡＳは、３つの異なるタイムスロットでの３つの異なる動作構成において示されている。ＤＡＳは、２つの異なるクラスタ２４ａ、２４ｂにグループ化された複数のアンテナユニット２０を備える。各クラスタ２４は、ハブユニット２６に関連付けられる。アンテナユニット２０のクラスタ２４は、共通のハブに接続された、ある地理的エリア内の複数のアンテナユニットを単純に記述するものである。クラスタ内のアンテナユニット２０の動作は、独立である。非アクティブのアンテナユニット２０は、図示されていない。本実施形態の各アンテナユニットは、第１および第２のネットワーク（５ＧＨｚのＷｉｆｉと２．１ＧＨｚのＬＴＥと）上で動作可能である。各アンテナユニット２０は、たとえば光ケーブルによって、ハブユニット２６に接続される。各ハブユニット２６は、一実施形態によるコントローラを備えまたはその例である単一のハイブリッド基地局２８に接続される。コントローラは、本開示の方法を引き受ける。ハブ２６に接続されると同時に、本実施形態の基地局２８は、データベース３０に接続される。データベース３０は、ヒストリックジオロケーショントラフィック仕様を記憶する。他の実施形態では、ＤＡＳは、データベース３０を備えないものとされ得る。端末３２としてラベルを付けられ、本実施形態では携帯電話機として図示された３つのデバイスは、ＤＡＳ内で動作している。
【０１８３】
図３のＤＡＳは、トラフィック負荷を監視するのにジオロケーショントラフィックデータを使用し、ジオロケーショントラフィック仕様を提供する。ジオロケーショントラフィック仕様は、ＬＴＥネットワーク仕様とＷｉｆｉネットワーク仕様とを備える。ジオロケーショントラフィック仕様は、デバイスの位置での、第１のネットワークと第２のネットワークとに関する１つまたは各デバイスのトラフィック要件を満足させるようにアンテナユニット２０を構成するのに使用される。これは、第１のネットワーク上で動作させるために第１のアンテナユニットまたはアンテナユニットのグループを選択することによって達成される。これらのアンテナユニットは、それらのそれぞれの位置でのデバイスの第１のネットワーク要件を満足させるのに十分なカバレージを提供する。第２のアンテナユニットまたはアンテナユニットのグループは、第２のネットワーク上で動作させるために選択され得る。これらのアンテナユニットは、それらのそれぞれの位置でのデバイスの第２のネットワーク要件を満足させるのに十分なカバレージを提供する。これらの選択は、獲得されたジオロケーショントラフィック仕様に基づく。このトラフィック仕様は、アンテナユニット２０から受信された短期ジオロケーショントラフィックデータ、データベース３０からのヒストリックジオロケーショントラフィックデータ、またはその両方から導出されるである。代替的には、トラフィック仕様は、アンテナユニット２０から受信された短期ジオロケーショントラフィック仕様、データベース３０からのシトリックジオロケーショントラフィック仕様、またはその両方を備えることができる。
【０１８４】
図３の実施形態では、ＤＡＳは、２つのネットワーク上すなわち２．１ＧＨｚのＬＴＥ（セルラーネットワークの例として使用される）上と５ＧＨｚのＷｉｆｉ上とで動作するように構成される。しかし、本開示の一実施形態によるＤＡＳは、３つ以上のネットワーク上で、ＤＡＳ動作に適切な任意のネットワークと共に動作するように構成され得る。
【０１８５】
図３のアンテナユニットのそれぞれは、第１のネットワーク上での動作と第２のネットワーク上での動作との間で切り替えることができる。したがって、各アンテナユニットは、第１のタイムスロット中に第１のネットワーク（たとえば、Ｗｉｆｉ）上で動作し、そのカバレージを提供でき、第２のタイムスロット中に第２のネットワーク（たとえば、ＬＴＥ）上で動作し、そのカバレージを提供できるように構成される。しかし、いくつかの実施形態では、制限された数のアンテナユニット（たとえば、１つ）だけが、第１のネットワークと第２のネットワークとの上で動作し、その間で切り替えることができるように構成され得る。
【０１８６】
端末３２は、ＤＡＳを使用するデバイスである。端末は、ＬＴＥとＷｉｆｉとを使用することのできる携帯電話機として図示されているが、Ｗｉｆｉネットワーク上で動作する「ステーション」（ＳＴＡ）、たとえばラップトップ、またはＬＴＥネットワーク上で動作するユーザ機器（ＵＥ）など、ネットワークのうちの少なくとも１つの上でトラフィック負荷に寄与する任意の１つまたは複数のデバイスを表す。当然、ほとんどの応用例では、より多くの数の端末が、一度にアクティブになり、監視される。端末３２は、モバイルであり、したがって、ＤＡＳの地理的範囲の中で自由に動きまわる。本実施形態では、基地局２８は、アンテナユニット２０から短期ジオロケーショントラフィック仕様を周期的に受信する。
【０１８７】
ジオロケーショントラフィック仕様は、ジオロケーショントラフィックデータから作り出され、ジオロケーショントラフィックデータを使用している。本実施形態のジオロケーショントラフィックデータは、既存のシグナリングプロトコル、たとえば、ＬＴＥネットワーク上のＵＥの位置とそのＵＥからのトラフィック要件とを分析するための「ＮＡＳアタッチ要求」パラメータ、ならびに関連する技術標準規格、たとえばＩＥＥＥ標準規格８０２．１１−２０１２で詳細に議論される、Ｗｉｆｉ方法のためのＡＤＤＴＳ．ｒｅｑｕｅｓｔ／ｒｅｓｐｏｎｓｅシグナリングを備える。ＱｏＳシグナリングパラメータは、考慮に入れられ、ジオロケーショントラフィック仕様に織り込まれる。他のシグナリング技法も、本実施形態と共に使用するのに適する可能性がある。
【０１８８】
本実施形態では、ＤＡＳを使用する端末３２から受信されたジオロケーショントラフィックデータは、アンテナユニット２０内で記憶される。このジオロケーショントラフィックデータは、収集され、累積され、ジオロケーショントラフィック仕様として基地局２８に周期的に送られる。このジオロケーショントラフィック仕様は、基地局２８が、特定の位置での短期トラフィック要件を満足させるためにアンテナユニット２０を再構成することを可能にする。本実施形態では、ジオロケーショントラフィックデータは、実質的にリアルタイムで受信される。したがって、短期ジオロケーショントラフィック仕様は、実質的にリアルタイムジオロケーショントラフィック仕様である。
【０１８９】
図３の実施形態では、基地局２８は、データベース３０からヒストリックジオロケーショントラフィック仕様をも受信する。これは、リアルタイムトラフィック仕様の推定値として使用され得る、過去からのジオロケーショントラフィック仕様である。
【０１９０】
図３のタイムスロット１において、端末１、２、および３（３２ａ、３２ｂ、３２ｃ）は、すべて、第１のクラスタ２４ａによってカバーされる地理的エリア内のＷｉｆｉネットワーク上で動作している。このタイムスロットの間、クラスタ１のアンテナユニット２０のすべては、Ｗｉｆｉネットワーク上で動作しており、したがって、Ｗｉｆｉネットワークカバレージを提供している。この時には、ＬＴＥネットワークの需要はなく、したがって、アンテナユニット２０のいずれもが、ＬＴＥネットワークカバレージの提供専用ではない。さらに、タイムスロット１の間のトラフィック負荷全体が、第１のクラスタ２４ａの地理的エリア内に配置され、したがって、第２のクラスタ２４ｂは、アクティブ化されない、すなわち、第２のクラスタ２４ｂのアンテナユニット２０のいずれもが、どちらのネットワーク上でも動作していない。いくつかの実施形態では、非アクティブクラスタ（すなわち、ネットワークカバレージを提供することを要求されないクラスタ）は、低電力モードに入り、非アクティブ化され、オフに切り替えられ、または１つのもしくはマルチプルなネットワーク上で動作し続けることができる。
【０１９１】
タイムスロット２の間に、端末１（３２ａ）は、ＬＴＥネットワークのカバレージを要求する。端末１、２、および３の位置は、タイムスロット１の位置から変化していない。
【０１９２】
タイムスロット２のトラフィック獲得サブスロット中に両方のクラスタ２４ａおよび２４ｂのアンテナユニット２０とデータベース３０とからジオロケーショントラフィック仕様を受信した基地局２８は、ジオロケーショントラフィック仕様を満足できるアンテナユニット２０構成を決定する。これを行うために、ＤＡＳは、依然として端末２および３（３２ｂ、３２ｃ）にＷｉｆｉカバレージを提供しながら、端末１（３２ａ）にＬＴＥネットワークカバレージを提供しなければならない。基地局２８は、ＬＴＥネットワーク上で動作させるために第１のクラスタ２４ａの中央のアンテナユニット２０を選択し、これをＷｉｆｉネットワークから切り替える。これは、ジオロケーショントラフィック仕様に反映された、それぞれの位置でのＬＴＥネットワーク要件を満足させる。
【０１９３】
いくつかの実施形態では、アンテナユニットのすべてが第１のネットワーク上で動作している場合、第２のネットワークについてのジオロケーショントラフィックデータは、アンテナユニットのうちの１つが第１のネットワーク上と第２のネットワーク上との両方で動作できる場合に限って、アンテナユニットによって入手可能である可能性がある。
【０１９４】
ヒストリックジオロケーショントラフィック仕様は、短期ジオロケーショントラフィック仕様が（したがって、短期ジオロケーショントラフィックデータが）利用可能である場合であっても、ジオロケーショントラフィック仕様を満足させることのできるアンテナユニット構成を決定するのに使用され得る。これは、第１のネットワーク上でのみ動作するアンテナユニットを有するＤＡＳが、第２のネットワークについての短期のまたはリアルタイムのジオロケーショントラフィックデータがアンテナユニット（第１のネットワーク上での動作に制限された）のいずれによっても受信できない場合であっても、第２のネットワークのトラフィック要件を満足させるために第２のネットワークのカバレージをも提供するために適合または更新することを可能にすることができる。
【０１９５】
アンテナユニットおよびネットワークが選択されたら、アンテナユニットは、選択をしかるべく実施する。したがって、この構成は、ＤＡＳを使用する端末３２に両方のネットワークのカバレージを提供する。したがって、カバレージが最適化される。これは、タイムスロット２のアンテナおよびアンテナ選択サブスロット中に行われる。
【０１９６】
その後、端末３２は、第３のデータ送信サブスロット中にＤＡＳを介して送信および／または受信する。本実施形態は、上記のいわゆるトラフィック選択送信（traffic-selection-transmission）タイムスロット方式（図６を参照してより詳細に説明される）を利用するが、本明細書で説明される方式に限定されるとは感じられない、本開示の実施形態を実施するのに適する他の方式がある。
【０１９７】
上記の例では、アンテナ選択は、したがってアンテナ構成は、短期ジオロケーショントラフィック仕様に基づく。何らかの理由で、短期トラフィックデータが利用可能ではなく、したがって、短期ジオロケーショントラフィック仕様が利用可能ではない場合には、選択は、データベースから受信されたヒストリックジオロケーショントラフィック仕様に基づいて行われる。しかし、いくつかの実施形態では、アンテナ選択は、好ましくは、両方のタイプのジオロケーショントラフィック仕様の組合せに基づくものとされ得る。
【０１９８】
短期ジオロケーション要件が利用可能ではなく、ヒストリックジオロケーショントラフィック仕様がトラフィック負荷データベース３０から入手可能ではないが、アンテナユニットまたはアンテナユニットのグループが、第１のネットワーク上および／または第２のネットワーク上で動作させるために以前に選択されたことがある場合には、コントローラは、現在のアンテナユニット構成を維持する。短期ジオロケーショントラフィック仕様が利用可能ではなく、ヒストリックデータが利用可能ではなく、アンテナユニットのどれもが、第１のネットワーク上または第２のネットワーク上のいずれかで動作させるために以前に選択されたことがない（たとえば、ＤＡＳを開始する最初のステップである）場合には、本実施形態の基地局は、第１のネットワーク上および／または第２のネットワーク上で動作させるためにアンテナユニットをランダムに選択する。
【０１９９】
ここでタイムスロット３を見ると、端末１（３２ａ）は、タイムスロット２から変更されず、端末２（３２ｂ）は、今は、第２のアンテナユニットクラスタ２４ｂの地理的エリア内になるように位置を移動し終えており、Ｗｉｆｉネットワークを使用しており、端末３（３２ｃ）は、第２のクラスタ２４ｂの範囲内でＬＴＥネットワークを使用している。
【０２００】
端末３２ａ、３２ｂ、３２ｃは、ジオロケーショントラフィックデータをアンテナユニット２０に送信する。その後、アンテナユニット２０は、ジオロケーショントラフィック仕様を基地局２８に送信する。基地局２８は、ジオロケーショントラフィック仕様を受信した後に、ＬＴＥネットワーク要件とＷｉｆｉネットワーク要件とが満足され、端末２０のすべてがカバレージを提供され、それらの選択されたネットワーク上で送信し、および／または受信することができるように、第１のネットワーク上と第２のネットワーク上とで動作させるためにアンテナユニットまたはアンテナユニットのグループを選択することによって、アンテナユニット２０を構成する。これは、Ｗｉｆｉカバレージが端末２（３２ｂ）のために提供され、ＬＴＥカバレージが端末３（３２ｃ）のために提供されるように、第２のクラスタ２４ｂをアクティブ化することと、その中のアンテナユニット２０を構成することとを含む。タイムスロット２中の第１のクラスタ２４ａの構成が、タイムスロット３の送信要件に十分なカバレージを提供するので、第１のクラスタの構成は、タイムスロット２とタイムスロット３との間で変化しない。しかし、他の実施形態では、クラスタ３内のアンテナユニット２０の構成は、それらが電力出力を最小にするためにもはや端末２と３とにカバレージを提供する必要がないので、変化することができる。
【０２０１】
図４は、第１のタイムスロットおよび第２のタイムスロットにおける一実施形態によるさらなるＤＡＳを示す。図４のＤＡＳは、アンテナユニット２０の５つのクラスタ２４を備え、各クラスタ２４は、図３と同様にハブユニット２６に接続される。最初の２つのクラスタ２４ａ、２４ｂは、第１の基地局２８ａに接続され、第３、第４、および第５のクラスタ２４ｃ、２４ｄ、２４ｅは、第２の基地局２８ｂに接続される。２つの基地局２８は、お互いにならびにトラフィック負荷データベース３０に接続される。各基地局２８は、コントローラを備え、他の基地局の挙動を協調させるために他の基地局と通信することができる。
【０２０２】
図４のＤＡＳは、図３のＤＡＳに類似する形で動作し、各基地局２８は、ＤＡＳ上のネットワーク上で動作するデバイスからまたは共有されるトラフィックデータベース３０から発するジオロケーショントラフィック仕様を獲得する。その後、基地局２８は、第１の（および後続の）ネットワーク上で動作させるためにアンテナユニットまたはアンテナユニットのグループを選択し、ハブ２６を介してこの選択を実施する。しかし、図４の実施形態では、各アンテナユニットは、３つのネットワークすなわち、２．１ＧＨｚのＬＴＥと５ＧｈｚのＷｉｆｉと２．４ＧｈｚのＷｉｆｉとを動作させ、そのカバレージを提供することができるように構成される。さらに、２つの基地局は、アンテナ選択を集合的に担う。図４では、２つの基地局は、ＤＡＳを使用するデバイスのネットワークカバレージが提供され、最適化されるように、ＤＡＳ全体にわたる第１のネットワーク上、第２のネットワーク上、または第３のネットワーク上で動作させるためにアンテナユニットを選択するために、互いに協調する。
【０２０３】
図５は、それぞれが３つのネットワーク上で動作可能であるアンテナユニット２０のクラスタ２４の例の構成と、３つのネットワークのうちの１つの上で動作させるために異なるアンテナユニットまたはアンテナユニットのグループを選択することによって、クラスタ２４がこれらの構成の間でどのようにして切り替えることができるのかとを示す。図５に示された任意のクラスタ２４は、本明細書で説明される実施形態のいずれかに従ってＤＡＳ内に実装され得る。
【０２０４】
図６は、上記のシステムを実装するためのまたは一実施形態によるコントローラ上で動作するための、一実施形態による方法を示すフロー図である。この方法は、トラフィック選択送信（ＴＳＴ）タイムスロットの周期的実行を備える。ＴＳＴタイムスロットが実行されるたびに、アンテナユニットが選択され得、したがって、クラスタおよびアンテナ構成（アンテナ選択）が変化し得る。したがって、この配置は、かなり高いフレキシビリティを提供し、ＤＡＳが、ＤＡＳ上でアクティブなデバイスから受信された短期トラフィックデータに基づいて（最適化された）カバレージを提供するために頻繁に適合することを可能にする。
【０２０５】
図６のＴＳＴタイムスロットは、３つサブスロット、すなわち、トラフィック獲得サブスロット４０と、アンテナユニットまたはアンテナユニットのグループ選択サブスロット（「アンテナ選択サブスロット」）５０と、データ送信サブスロット６０とを備える。第１のサブスロットは、トラフィック獲得サブスロット４０である。トラフィック獲得サブスロット４０中に、コントローラ（しばしば、基地局）は、ジオロケーショントラフィック仕様を受信する。第２のサブスロットは、アンテナ選択サブスロット５０である。アンテナ選択サブスロット５０中に、コントローラは、第１のネットワーク上で動作させるためにアンテナユニットまたはアンテナユニットのグループを選択する。コントローラは、第２、第３、第４、または第ｎのネットワーク上で動作させるためにアンテナユニットまたはアンテナユニットのグループを選択することもできる。アンテナ選択は、アンテナ選択サブスロット５０中に実施され得る。したがって、最適のアンテナユニット構成は、アンテナ選択サブスロット５０中に決定される。第３のサブスロットは、データ送信サブスロット６０である。データ送信サブスロット６０中に、ＤＡＳ上で動作するデバイスは、ネットワークを介してデータを送信し、および／または受信する。データ送信サブスロット６０は、トラフィックフローレートが示す場合に、データ送信サブスロット６０の長さがこれによって変更され得る監視するステップを備えることもできる。データ送信サブスロット６０が完了した後には、トラフィックサブスロット４０が開始される。
【０２０６】
上で議論されたように、ＴＳＴタイムスロットは、トラフィック獲得サブスロット４０から始まる。トラフィック獲得サブスロット４０が開始すると、トラフィックデータベースは、それが利用可能であるかどうか、すなわち、ヒストリックジオロケーショントラフィック仕様がそれから獲得され得るかどうかを調べるために、チェックされる４２。トラフィックデータベースが利用可能である場合には、コントローラは、データベースからヒストリックジオロケーショントラフィック仕様を受信する４４。ヒストリックジオロケーショントラフィック仕様が受信されたら、またはデータベースが利用可能でない場合、コントローラは、ＤＡＳ上で動作するデバイス（たとえば、図６の実施形態ではＵＥ／ＳＴＡ）からの短期トラフィックが利用可能であるかどうかをチェックする４６。したがって、コントローラは、データベースからのトラフィックの利用可能性にかかわらず、ＤＡＳ上で動作するデバイスから受信されたジオロケーショントラフィックデータに基づいて、アンテナユニットから短期ジオロケーショントラフィック仕様を受信することを試みる。ＵＥ／ＳＴＡからのトラフィックが利用可能である場合には、短期ジオロケーショントラフィック仕様が、そこから獲得されまたは導出される４８。
【０２０７】
トラフィック獲得サブスロット４０の後に選択サブスロット５０が続く。少なくとも１つのタイプのジオロケーショントラフィック仕様が獲得された場合、すなわち、データベースからのヒストリックジオロケーショントラフィック仕様、ＵＥ／ＳＴＡからの短期ジオロケーショントラフィック仕様、またはその両方が獲得された場合、コントローラは、受信されたトラフィック仕様に基づいて第１のネットワーク上で動作させるためにアンテナユニットを選択する５２。図６の実施形態では、ハイブリッドＢＳが、受信されたジオロケーショントラフィック仕様に基づいて、第１のネットワーク上で動作させるためにアンテナユニットまたはアンテナユニットのグループを選択する。ハイブリッドＢＳは、獲得されたジオロケーショントラフィック仕様に基づいて、第２の、第３の、またはさらなるネットワーク上で動作させるために、さらなる１つのまたはさらなるマルチプルな、アンテナユニットまたはアンテナユニットのグループを選択することができる。アンテナユニットは、それぞれ、デバイスの位置での第１のおよび後続のネットワークに関して表されたそのまたは各々のデバイスのトラフィック要件を満足させるように選択され得る。
【０２０８】
本実施形態では、下記の状況の間で区別し、しかるべくクラスタ内の特定のネットワークに関してアンテナユニットを選択する：すべてＬＴＥのサービスが要求された−−ＬＴＥアンテナユニットクラスタ；すべてＷｉｆｉのサービスが要求された−−Ｗｉｆｉアンテナユニットクラスタ；ＬＴＥが多数のサービスが要求された−−ハイブリッドＬＴＥ／Ｗｉｆｉアンテナユニットクラスタ；Ｗｉｆｉが多数のサービスが要求された−−ハイブリッドＷｉｆｉ／ＬＴＥアンテナユニットクラスタ；サービスが要求されなかった−−クラスタゾーンを非アクティブ化する。アンテナユニットまたはアンテナユニットのグループは、第１の（および第２などの）ネットワークのカバレージがＤＡＳを使用するデバイスに提供されるように、選択される。
【０２０９】
ジオロケーショントラフィックデータ（したがって、ヒストリックまたは即時の（immediate）ジオロケーションベースのジオロケーショントラフィック仕様）が受信されなかった場合に、ハイブリッドＢＳは、トラフィックデータを全く使用せずにアンテナユニットを構成５４しなければならない。現在のＴＳＴタイムスロットが初期タイムスロットである（たとえば、ＤＡＳが開始されたばかりであり、どのアンテナユニットも、どのネットワーク上でもアクティブではない）場合には、ハイブリッドＢＳは、第１、第２などのネットワーク上で動作させるためにアンテナユニットをランダムに選択する。現在のＴＳＴタイムスロットが初期スロットではない場合には、現在のアンテナユニット構成に対する変更は行われない（すなわち、どのアンテナユニットもが、ネットワークを切り替えず、アクティブ化せず、非アクティブ化しない）。
【０２１０】
データ送信サブスロット６０は、第３のサブスロットである。アンテナユニットが選択サブスロット５０で構成された後に、データ送信サブスロット６０が始まる。データ送信サブスロット６０中に、データが、アクティブクラスタゾーン内のアンテナユニットを介して送信されおよび／または受信される６２。その後、決定６４が、すべてのサービスが終了したかどうかを決定する。そうである場合には、プロセスは終了する６６。そうではなく、デバイスがまだＤＡＳ上でアクティブである場合には、次のトラフィックサブスロット４０が到着したかどうかを確かめるために、さらなる決定６８が行われる。
【０２１１】
次のトラフィック獲得サブスロット４０が到着した場合には、トラフィック獲得サブスロット４０がもう一度開始され、トラフィックデータベースの利用可能性がチェックされる４２。次のトラフィック獲得サブスロット４０が到着していない場合には、トラフィックフローレートが計算され、データ送信サブスロット６０の長さが再構成される７０。サブスロットの長さのこの再構成７０は、タイムスロットのすべての反復中に発生しない場合がある。再構成は、シグナリングオーバーヘッドとデータ送信との間のトレードオフを最大効率まで最適化することができる。再構成ステップ７０は、特定の実施形態では省略され得る。
【０２１２】
再構成ステップ７０が行われた後に、すべてのサービスが終了したかどうかに関する決定６４が実行される。
【０２１３】
各サブスロットの持続時間は、事前に決定されるが、トラフィックフローレートの計算７０に基づいて再構成され得る。たとえば、データ送信サブスロット６０の終りに、すべてのサービスが終了したわけではない場合には、次のトラフィック獲得サブスロット４０が始まり、データ送信が一時停止される。すべてのデータ送信が完了する場合に限って、新しいトラフィック獲得サブスロット４０は、データ送信サブスロットの後に開始しない。
【０２１４】
図７は、コントローラ１１０を備える一実施形態によるＤＡＳを概略的に示す。コントローラ１１０は、一実施形態によるプロセッサ１１２を備える。コントローラ１１０は、データベース１１４に動作可能に結合され、このデータベース１１４から、ヒストリックジオロケーショントラフィック仕様を受信することができる。ＤＡＳは、２つのアンテナユニット１１６を備えるものとして図示されている。５つのデバイス１１８が、ＤＡＳを使用している。
【０２１５】
各デバイス１１８は、ジオロケーショントラフィックデータ１２０をアンテナユニット１１６に送る。このジオロケーショントラフィックデータ１２０は、周期的に、またはデバイス１１８があるアンテナユニット１１６の位置から別のアンテナユニットの位置に移動するときに限って、送られ得る。このジオロケーショントラフィックデータは、ＮＡＳアタッチ要求またはＡＤＤＴＳ．ｒｅｑｕｅｓｔおよびＡＤＤＴＳ．ｒｅｓｐｏｎｓｅなどのＡＤＤＴＳシグナリングパラメータであり得る。
【０２１６】
アンテナユニット１１６は、受信されたジオロケーショントラフィックデータ１２０（すなわち、短期ジオロケーショントラフィックデータ）を収集し、収集されたジオロケーショントラフィックデータを短期ジオロケーショントラフィック仕様１２２としてコントローラ１１０のプロセッサ１１２に送信する。各アンテナユニット１１６は、周期的タイムスロットのトラフィック獲得サブスロット中に周期的にこのジオロケーショントラフィック仕様１２２を送信する。コントローラ１１０は、ヒストリックジオロケーショントラフィック仕様をもデータベース１１４から受信する。
【０２１７】
短期ジオロケーショントラフィック仕様は、また、ヒストリックジオロケーショントラフィック仕様としての潜在的な将来の使用のために記憶するために、データベース１１４によって受信され得る。
【０２１８】
コントローラ１１０は、各ネットワークのジオロケーションネットワーク要件が関連する位置で満足されるように、各ネットワーク上で動作させるためにアンテナユニット１１６を選択するのに、各アンテナユニット１１６から受信されたジオロケーショントラフィック仕様１２２を使用する。
【０２１９】
短期ジオロケーショントラフィックデータ１２０が全くない場合、アンテナユニット１１６は、短期ジオロケーショントラフィック仕様１２２を提供することができない。その後、コントローラ１１０は、各ネットワーク上で動作させるためにアンテナユニット１１６を選択するのに、データベース１１４から受信されたヒストリックジオロケーショントラフィック仕様を使用することができる。
【０２２０】
図８は、一実施形態による方法を示すフロー図である。この方法は、分散アンテナシステム（ＤＡＳ）を管理するためのものであり、ＤＡＳは、複数のアンテナユニットを備え、各アンテナユニットは、第１のネットワークを定義する第１の周波数帯で動作可能である。
【０２２１】
この方法は、ジオロケーショントラフィック仕様を受信すること１３０を備える。このジオロケーショントラフィック仕様は、ＤＡＳを使用するデバイスの位置の表示とデバイスのトラフィック要件とを備える。その後、第１のネットワーク上で動作させるために、アンテナユニットが選択される１３２。選択は、受信されたジオロケーショントラフィック仕様に基づいて行われ、アンテナユニットまたはアンテナユニットのグループは、デバイスの位置での第１のネットワークに関するデバイスのトラフィック要件を満足させるように選択される。
【０２２２】
この方法のさらなる反復が実施され得る１３４。この方法は、周期的に実施され得、さらなるステップを備えることができ、これによって、第２のまたは後続のアンテナが、第２のまたは後続のネットワーク上で動作させるために選択される。
【０２２３】
図９は、一実施形態によるタイムスロットの実装形態を概略的に示す。
【０２２４】
水平の帯８２、８４、８６、８８は、異なるネットワークであり、この実施形態では、Ｗｉｆｉ１ネットワーク８２と、Ｗｉｆｉ２ネットワーク８４と、Ｗｉｆｉ３ネットワーク８６と、ＬＴＥネットワーク８８とである。異なるネットワークは、異なる周波数帯で動作する。ｘ軸は、時間を表す。この図は、一実施形態によるコントローラを備えるハイブリッドＢＳコントローラユニット９０の動作をも示す。
【０２２５】
周期的ビーコンスロットが、Ｗｉｆｉネットワークごとに示されている。各Ｗｉｆｉネットワーク８２、８４、８６内のビーコンスロットの間の時間は、異なる。
【０２２６】
コントローラユニット９０は、４つのネットワークを提供するすべてのアンテナユニットに、「ＴＳ．ｒｑ」９２中にトラフィック仕様要求を送出する。これに応答して、すべてのアンテナユニットが、「ＴＳ」９４中にジオロケーショントラフィック仕様を応答する。このトラフィック仕様９４は、ジオロケーショントラフィックデータを備える。本実施形態では、３つのＷｉｆｉチャネル８２、８４、８６上で動作するアンテナユニットは、ＡＤＤＴＳデータを応答し、ＬＴＥネットワーク８８上で動作するアンテナユニットは、ＮＡＳアタッチ要求を応答する。代替実施形態では、アンテナユニットは、このジオロケーショントラフィックデータから導出されるがこれを含まないジオロケーショントラフィック仕様を応答することができる。
【０２２７】
コントローラユニット９０は、ジオロケーショントラフィック仕様９４の受信を肯定受信するために、「ＴＳ．ｒｐ」９６中にトラフィック仕様応答を送る。トラフィック仕様９４が受信された後に、アンテナ選択に関する決定が行われ、これによって、アンテナユニットまたはアンテナユニットのグループが、それぞれ第１の、第２の、または後続のネットワーク上で動作させるために選択される。アンテナ選択要求は、「ＡＳ．ｒｑ」９８中に、すべてのアンテナユニットまたはアンテナ選択によって影響されるすべてのアンテナユニットに送られる。この要求は、どのアンテナユニットがどのネットワーク上で動作する必要があるのかに関する命令を含む。
【０２２８】
アンテナ選択要求を受信しているアンテナユニットは、「ＡＳ」１００中にアンテナ選択を実施する。この実施は、アンテナユニットが第１のネットワーク上での動作から第２のネットワークに変更することまたはアイドルモードに入るかこれから出ることを必要とする可能性がある。
【０２２９】
アンテナ選択が実施された後に、デバイスは、「ＤＡＴＡ」１０２中にネットワークを介してデータを送信し、および／または受信する。
【０２３０】
図１０は、３ＧＰＰ（登録商標）のＬＴＥワイヤレス通信標準規格のシステムアーキテクチャ発展のサブコンポーネントの間の通信を概略的に示す。この図は、ＮＡＳ相互作用手順を示す。
【０２３１】
図１１は、たとえばＮＡＳプロトコルデータユニット（ＰＤＵ）内で与えられるトラフィック要求メッセージの例を示す。
【０２３２】
下の表１および表２は、サービス品質（ＱｏＳ）トラフィック要件がジオロケーショントラフィック仕様内でどのように実施され得るのかを示し、ジオロケーショントラフィックデータは、それぞれ第１のタイムスロットと第２のタイムスロットとで分類され、優先順位を付けられ得る。下の表は、アンテナユニットが第１のネットワーク（Ｗｉｆｉ）上と第２のネットワーク（ＬＴＥ）上とで動作可能なＤＡＳのデータを表す。
【０２３３】
これらの表は、一実施形態によるジオロケーショントラフィック仕様の潜在的なフレームワークを概略的に示す。表は、２つのネットワークすなわちＷｉｆｉネットワークとＬＴＥセルラーネットワークとに分割される（したがって、この２つのネットワークのジオロケーショントラフィック仕様情報を含む）。表は、複数のエリアすなわちエリア１から３に分割される。したがって、トラフィック要件は、エリアによって分類される。各エリアは、特定のアンテナユニットとのアフィリエーション（affiliation）によって決定される（「セルＩＤ」法）。
【０２３４】
表内で表されるデバイスのネットワークと位置とに関する情報を提供すると同時に、デバイスのトラフィックの優先順位の表示も提供される。これは、Ｗｉｆｉを使用するデバイスのユーザ優先順位と、ＬＴＥネットワークを使用するデバイスのＱｏＳクラス識別子（ＱＣＩ）とによって表される。上記の情報のすべてが、ジオロケーショントラフィックデータ、たとえばＬＴＥネットワークのＮＡＳアタッチ要求およびＷｉｆｉネットワークのＡＤＤＴＳ．ｒｅｑｕｅｓｔ／ｒｅｓｐｏｎｓｅｓ内で実施され、これによって提供され得る。下の表内では、１４個のデバイスの情報が提供される。しかし、同様のフレームワークが、単一のデバイスからＤＡＳを使用するすべてのデバイスまでの任意の数のデバイスのジオロケーショントラフィック仕様フレームワークとして使用され得る。
【０２３５】
そのような優先順位付けを処理するための特定のプロトコルは、技術標準規格（たとえば、ＷｉｆｉのＩＥＥＥ標準規格８０２．１１−２０１２）で定義され、本明細書で説明される実施形態内などで実施され得る。
【０２３６】
これらの表は、デバイスがＤＡＳの周囲を移動し、そのトラフィック要件を変更することの影響をも示す。表１は、第１のタイムスロット中のデバイストラフィック仕様を示す。表２は、第２のタイムスロット中のデバイストラフィック仕様を示す。明白であるように、ネットワーク、位置、およびＱｏＳ要件は、経時的に変化し得る。
【表１】
0006357277.tif 000002
【表２】
0006357277.tif 000003
【０２３７】
特定の実施形態が説明されたが、これらの実施形態は、例として提示されたものであって、本発明の範囲を限定することを意図したものではない。実際、本明細書で説明される新規の方法、デバイス、および装置は、様々な他の形で具現化され得、さらに、本明細書で説明される方法および装置の形態における様々な省略、置換、および変更は、本発明の趣旨から逸脱せずに行われ得る。添付の特許請求の範囲およびその均等物は、本発明の範囲と趣旨とに含まれるそのような形態または変更を包含することが意図されている。
【図１Ａ】
0006357277.tif 000004
【図１Ｂ】
0006357277.tif 000005
【図２】
0006357277.tif 000006
【図３】
0006357277.tif 000007
【図４】
0006357277.tif 000008
【図５】
0006357277.tif 000009
【図６】
0006357277.tif 000010
【図７】
0006357277.tif 000011
【図８】
0006357277.tif 000012
【図９】
0006357277.tif 000013
【図１０】
0006357277.tif 000014
【図１１】
0006357277.tif 000015